(57)【特許請求の範囲】
【請求項１】
原稿画像データに基づいて印刷された目標印刷物を読み取って前記目標印刷物の読取画像を表す第一の解像度の読取画像データを取得する画像読取部と、
前記第一の解像度の読取画像データから、前記第一の解像度よりも低解像度である第二の解像度の画像データを生成する第一の低解像度画像生成部と、
前記原稿画像データと前記第二の解像度の画像データとの対応関係を特定する画像対応付け部と、
前記画像対応付け部により特定された前記対応関係を基に、第一の色空間の色情報と第二の色空間の色情報との多次元の対応関係を示す色変換テーブルを作成する色変換テーブル作成部と、
を備える、色変換テーブル作成装置。
【請求項２】
前記第一の色空間はデバイス依存色空間であり、前記第二の色空間はデバイス非依存色空間であり、
前記画像読取部から得られる第三の色空間の色情報と前記第二の色空間の色情報との対応関係を表す読取色変換テーブルを用いて、前記第三の色空間の色情報を前記第二の色空間の色情報に変換する色変換部を備える、請求項１に記載の色変換テーブル作成装置。
【請求項３】
前記原稿画像データから、前記原稿画像データの解像度である第三の解像度よりも低解像度である第四の解像度の画像データを生成する第二の低解像度画像生成部を備え、
前記画像対応付け部は、前記第四の解像度の画像データと前記第二の解像度の画像データとに基づき、前記原稿画像データと前記第二の解像度の画像データとの対応関係を特定する、請求項１又は２に記載の色変換テーブル作成装置。
【請求項４】
前記第二の解像度と前記第四の解像度とが同じ解像度である、請求項３に記載の色変換テーブル作成装置。
【請求項５】
前記画像対応付け部は、
前記原稿画像データと前記第二の解像度の画像データとの位置関係を特定する位置合わせの処理を行う画像位置合わせ部と、
前記原稿画像データと前記第二の解像度の画像データとの対応する画像位置から色情報を取得する色抽出部と、
を備える、請求項１から４のいずれか一項に記載の色変換テーブル作成装置。
【請求項６】
前記読取画像データに基づき、前記第二の解像度よりも更に低解像度である第五の解像度の画像データを生成する第三の低解像度画像生成部と、
前記原稿画像データに基づき、前記第二の解像度よりも更に低解像度である第六の解像度の画像データを生成する第四の低解像度画像生成部と、
を備え、
前記第五の解像度の画像データと前記第六の解像度の画像データから色情報が取得される、請求項５に記載の色変換テーブル作成装置。
【請求項７】
前記第五の解像度と前記第六の解像度とが同じ解像度である、請求項６に記載の色変換テーブル作成装置。
【請求項８】
前記第三の低解像度画像生成部による前記第五の解像度の画像データの生成処理と、前記第四の低解像度画像生成部による前記第六の解像度の画像データの生成処理とは、それぞれ前記画像位置合わせの処理の後に実施される、請求項６又は７に記載の色変換テーブル作成装置。
【請求項９】
前記色抽出部としての第一の色抽出部と、
前記第五の解像度の画像データと前記第六の解像度の画像データから色情報を取得する第二の色抽出部と、
を備え、
前記第一の色抽出部により取得した色情報を基に特定される第一の対応関係と、
前記第二の色抽出部により取得した色情報を基に特定される第二の対応関係と、を用いて前記多次元の対応関係を示す色変換テーブルが作成される、請求項６から８のいずれか一項に記載の色変換テーブル作成装置。
【請求項１０】
前記色変換テーブル作成部は、複数の目標印刷物と各目標印刷物に対応した原稿画像データとを基に、それぞれ生成された複数の対応関係から、単一の前記多次元の対応関係を示す色変換テーブルを作成する、請求項１から９のいずれか一項に記載の色変換テーブル作成装置。
【請求項１１】
原稿画像データに基づいて印刷された目標印刷物を読み取って前記目標印刷物の読取画像を表す第一の解像度の読取画像データを取得する画像読取工程と、
前記第一の解像度の読取画像データから、前記第一の解像度よりも低解像度である第二の解像度の画像データを生成する第一の低解像度画像生成工程と、
前記原稿画像データと前記第二の解像度の画像データとの対応関係を特定する画像対応付け工程と、
前記画像対応付け工程により特定された前記対応関係を基に、第一の色空間の色情報と第二の色空間の色情報との多次元の対応関係を示す色変換テーブルを作成する色変換テーブル作成工程と、
を含む色変換テーブル作成方法。
【請求項１２】
原稿画像データに基づいて印刷された目標印刷物を読み取る画像読取部から前記目標印刷物の読取画像を表す第一の解像度の読取画像データを取得する機能と、
前記第一の解像度の読取画像データから、前記第一の解像度よりも低解像度である第二の解像度の画像データを生成する第一の低解像度画像生成機能と、
前記原稿画像データと前記第二の解像度の画像データとの対応関係を特定する画像対応付け機能と、
前記画像対応付け工程により特定された前記対応関係を基に、第一の色空間の色情報と第二の色空間の色情報との多次元の対応関係を示す色変換テーブルを作成する色変換テーブル作成機能と、
をコンピュータに実現させるプログラム。
【発明の詳細な説明】
【技術分野】
【０００１】
本発明は色変換テーブル作成装置及び方法、並びにプログラムに係り、特に印刷装置による色再現に適用される画像データの色変換技術に関する。
【背景技術】
【０００２】
印刷の分野では、印刷装置によって目標の色再現を行うためにＩＣＣ（International Color Consortium）プロファイル等の色変換テーブルを利用して画像データの色変換処理が行われる。ＩＣＣプロファイルは、通常、印刷装置毎に印刷出力されたカラーチャートの測色結果に基づいて作成される。複数のカラーパッチを含んだプロファイル作成用のカラーチャートからプロファイルを作成する方法は一般的に知られているが、このようなチャートが印刷されていない場合にはプロファイルを作成することができない。
【０００３】
特許文献１は、スキャナで読み込まれた原稿で使用されている色域を過剰に圧縮することなく、原稿に近い色を印刷装置で再現することができる画像読取装置を開示している。特許文献１の画像読取装置は、読み取られた原稿から原稿の色域情報を生成し、色域情報を付加した画像ファイルを出力する。色域情報には、最高明度情報、最低明度情報、色相ごとの彩度情報などが含まれている。特許文献１によれば、色域情報が付加された画像ファイルを印刷装置としてのプリンタで再出力する際に、色域情報とプリンタで再現可能な色域（プリンタ色域）とを比較し、色変換係数を選択している。
【０００４】
特許文献２は、カラーチャートを用いずに、２つの印刷物の色調を合わせることができる画像処理装置を開示している。特許文献２によれば、基準プリンタとしての第１の画像出力器によって出力された基準印刷物と、ユーザプリンタとしての第２の画像出力器によって出力されたユーザ印刷物のそれぞれをスキャナで読み取り、両者の色成分値の対応関係から色調変換パラメータを求め、得られた色調変換パラメータによって第２の画像出力器の出力画像を補正することにより基準印刷物の色調と同等の色調を再現している。
【先行技術文献】
【特許文献】
【０００５】
【特許文献１】特開２００８−２１１２８４号公報
【特許文献２】特開２０１３−３０９９６号公報
【発明の概要】
【発明が解決しようとする課題】
【０００６】
特許文献１では、プリンタによる再出力は、スキャナで読み取られた読取画像（「読み込み画像」ともいう。）の画像ファイルを前提としている。しかし、読取画像は、スキャナの読取解像度に依存する読み取り時のボケの影響により精細度を欠くため、高精細な原稿の画像を再現する印刷物を得ることは困難である。
【０００７】
特許文献２では、基準印刷物とは別に、ユーザ印刷物を印刷してこれをスキャナで読み取る必要があり、手間がかかる。また、特許文献１に記載の技術は、スキャナで読み取ったＲ／Ｇ／Ｂの色成分毎に色調変換パラメータを求め、色成分毎の色調変換パラメータを用いてＲ／Ｇ／Ｂの色成分毎の一次元変換により色補正を行うものである。このような従来の方法は、プリンタ機器の個体差程度の色調差を補正するには十分と考えられるが、基準印刷物を出力した基準プリンタ（第１の画像出力器）と、ユーザプリンタとしての第２の画像出力器との印刷特性が大きく異なる場合には、色補正の自由度が十分ではなく、色補正精度が低くなる可能性がある。
【０００８】
本発明はこのような事情に鑑みてなされたもので、高精細な画像の再現と、精度のよい色の再現を実現することができる色変換テーブル作成装置及び方法、並びにプログラムを提供することを目的とする。
【課題を解決するための手段】
【０００９】
前記目的を達成するために、次の発明態様を提供する。
【００１０】
第１態様に係る色変換テーブル作成装置は、原稿画像データに基づいて印刷された目標印刷物を読み取って目標印刷物の読取画像を表す第一の解像度の読取画像データを取得する画像読取部と、第一の解像度の読取画像データから、第一の解像度よりも低解像度である第二の解像度の画像データを生成する第一の低解像度画像生成部と、原稿画像データと第二の解像度の画像データとの対応関係を特定する画像対応付け部と、画像対応付け部により特定された対応関係を基に、第一の色空間の色情報と第二の色空間の色情報との多次元の対応関係を示す色変換テーブルを作成する色変換テーブル作成部と、を備える色変換テーブル作成装置である。
【００１１】
色変換テーブルの「作成」には、既存の色変換テーブルにおけるテーブル値の一部を修正することが含まれる。
【００１２】
第一の解像度は、読取画像にモアレ（偽構造や偽色）が発生しにくい解像度とすることが好ましい。また、第二の解像度は、画像の位置合わせや色抽出の処理に際して、位置合わせの精度や、データサイズに配慮した解像度であることが好ましい。
【００１３】
第１態様によれば、目標印刷物の読取画像データから信頼性の高い色情報を得て、目標印刷物の再現に適した色変換テーブルを作成することができる。
【００１４】
第２態様として、第１態様の色変換テーブル作成装置において、第一の色空間はデバイス依存色空間であり、第二の色空間はデバイス非依存色空間であり、画像読取部から得られる第三の色空間の色情報と第二の色空間の色情報との対応関係を表す読取色変換テーブルを用いて、第三の色空間の色情報を第二の色空間の色情報に変換する色変換部を備える構成とすることができる。
【００１５】
第３態様として、第１態様又は第２態様の色変換テーブル作成装置において、原稿画像データから、原稿画像データの解像度である第三の解像度よりも低解像度である第四の解像度の画像データを生成する第二の低解像度画像生成部を備え、画像対応付け部は、第四の解像度の画像データと第二の解像度の画像データとに基づき、原稿画像データと第二の解像度の画像データとの対応関係を特定する構成とすることができる。
【００１６】
第４態様として、第３態様の色変換テーブル作成装置において、第二の解像度と第四の解像度とが同等の解像度である構成とすることができる。
【００１７】
第５態様として、第１態様から第４態様のいずれか一態様の色変換テーブル作成装置において、画像対応付け部は、原稿画像データと第二の解像度の画像データとの位置関係を特定する位置合わせの処理を行う画像位置合わせ部と、原稿画像データと第二の解像度の画像データとの対応する画像位置から色情報を取得する色抽出部と、を備える構成とすることができる。
【００１８】
第６態様として、第５態様の色変換テーブル作成装置において、読取画像データに基づき、第二の解像度よりも更に低解像度である第五の解像度の画像データを生成する第三の低解像度画像生成部と、原稿画像データに基づき、第二の解像度よりも更に低解像度である第六の解像度の画像データを生成する第四の低解像度画像生成部と、を備え、第五の解像度の画像データと第六の解像度の画像データから色情報が取得される構成とすることができる。
【００１９】
第７態様として、第６態様の色変換テーブル作成装置において、第五の解像度と第六の解像度とが同等の解像度である構成とすることができる。
【００２０】
第８態様として、第６態様又は第７態様の色変換テーブル作成装置において、第三の低解像度画像生成部による第五の解像度の画像データの生成処理と、第四の低解像度画像生成部による第六の解像度の画像データの生成処理とは、それぞれ画像位置合わせの処理の後に実施される構成とすることができる。
【００２１】
第９態様として、第６態様から第８態様のいずれか一態様の色変換テーブル作成装置において、色抽出部としての第一の色抽出部と、第五の解像度の画像データと第六の解像度の画像データから色情報を取得する第二の色抽出部と、を備え、第一の色抽出部により取得した色情報を基に特定される第一の対応関係と、第二の色抽出部により取得した色情報を基に特定される第二の対応関係と、を用いて多次元の対応関係を示す色変換テーブルが作成される構成とすることができる。
【００２２】
第１０態様として、色変換テーブル作成部は、複数の目標印刷物と各目標印刷物に対応した原稿画像データとを基に、それぞれ生成された複数の対応関係から、単一の多次元の対応関係を示す色変換テーブルを作成する構成とすることができる。
【００２３】
第１１態様に係る色変換テーブル作成方法は、原稿画像データに基づいて印刷された目標印刷物を読み取って目標印刷物の読取画像を表す第一の解像度の読取画像データを取得する画像読取工程と、第一の解像度の読取画像データから、第一の解像度よりも低解像度である第二の解像度の画像データを生成する第一の低解像度画像生成工程と、原稿画像データと第二の解像度の画像データとの対応関係を特定する画像対応付け工程と、画像対応付け工程により特定された対応関係を基に、第一の色空間の色情報と第二の色空間の色情報との多次元の対応関係を示す色変換テーブルを作成する色変換テーブル作成工程と、を含む色変換テーブル作成方法である。
【００２４】
第１１態様の色変換テーブル作成方法において、第２態様から第１０態様で特定した色変換テーブル作成装置の特定事項と同様の事項を適宜組み合わせることができる。その場合、色変換テーブル作成装置において特定される処理や機能を担う手段としての処理部や機能部は、これに対応する処理や動作の「工程（ステップ）」の要素として把握することができる。
【００２５】
第１２態様のプログラムは、原稿画像データに基づいて印刷された目標印刷物を読み取る画像読取部から目標印刷物の読取画像を表す第一の解像度の読取画像データを取得する機能と、第一の解像度の読取画像データから、第一の解像度よりも低解像度である第二の解像度の画像データを生成する第一の低解像度画像生成機能と、原稿画像データと第二の解像度の画像データとの対応関係を特定する画像対応付け機能と、画像対応付け工程により特定された対応関係を基に、第一の色空間の色情報と第二の色空間の色情報との多次元の対応関係を示す色変換テーブルを作成する色変換テーブル作成機能と、をコンピュータに実現させるプログラムである。
【００２６】
第１２態様のプログラムについて、第２態様から第１０態様で特定した色変換テーブル作成装置の特定事項と同様の事項を適宜組み合わせることができる。その場合、色変換テーブル作成装置において特定される処理や機能を担う手段としての処理部や機能部は、これに対応する処理や動作を行うプログラムの「機能」の要素として把握することができる。
【発明の効果】
【００２７】
本発明によれば、原稿画像データと目標印刷物に基づいて、ターゲットプロファイルとしての色変換テーブルを作成することができる。本発明によれば、目標印刷物の読取画像データから信頼性の高い色情報を得て、目標印刷物の再現に適した色変換テーブルを作成することができ、目標印刷物と同等の高精細な画像の再現と、精度のよい色の再現が可能となる。
【図面の簡単な説明】
【００２８】
【図１】図１は本発明の実施形態に係る色変換テーブル作成装置を含んだ印刷システムの全体構成を示すブロック図である。
【図２】図２は第一実施形態に係る色変換テーブル作成装置の要部構成を示したブロック図である。
【図３】図３は原稿画像信号と色度値の対応データの例を示す図表である。
【図４】図４は色変換テーブルの入力側に相当する原稿画像データの色空間（ここではＣＭ面）の格子点を表す説明図である。
【図５】図５はノイゲバウア（Neugebauer）モデルによる色度値の算出方法の説明図である。
【図６】図６はターゲットプロファイルを用いて原稿画像データの色変換処理を行う構成を示すブロック図である。
【図７】図７は第二実施形態に係る色変換テーブル作成装置の構成を示すブロック図である。
【図８】図８は第三実施形態に係る色変換テーブル作成装置の構成を示すブロック図である。
【図９】図９は第三実施形態に係る色変換テーブル作成装置の構成を示すブロック図である。
【図１０】図１０は第三実施形態の色変換テーブル作成装置に備える構成要素の一部を示すブロック図である。
【図１１】図１１は画像対応付け部における画像の位置合わせ処理の具体例を示したブロック図である。
【図１２】図１２（Ａ）は原稿画像データの例を示し、図１２（Ｂ）は目標印刷物の例を示す図である。
【図１３】図１３は、前処理を含む画像対応付けの処理を行う構成のブロック図である。
【図１４】図１４は測色器から得られる測色値を活用する第１例に係る構成を示したブロック図である。
【図１５】図１５は測色器から得られる測色値を活用する第２例に係る構成を示したブロック図である。
【図１６】図１６は測色器から得られる測色値を活用する第３例に係る構成を示したブロック図である。
【発明を実施するための形態】
【００２９】
以下、添付図面にしたがって本発明を実施するための形態について詳説する。
【００３０】
＜システムの概要＞
図１は本発明の実施形態に係る色変換テーブル作成装置を含んだ印刷システムの全体構成を示すブロック図である。印刷システム１０は、画像編集装置１２と、印刷制御装置１４と、印刷部１６とを備える。画像編集装置１２は、実施形態に係る色変換テーブル作成装置としての役割を果たし、印刷部１６による色再現に必要な色変換テーブルの作成処理を行う。また、画像編集装置１２は、色変換テーブルを使用した色変換処理や画像データ加工（編集）などの画像処理を行う装置である。画像編集装置１２で生成された印刷画像データは印刷制御装置１４に送られる。
【００３１】
印刷制御装置１４は画像編集装置１２により生成された印刷画像データに基づき、印刷部１６による印刷動作を制御する。印刷制御装置１４は、連続調画像データから２値又は多値の網点画像のデータに変換するハーフトーン処理部を含むことができる。
【００３２】
本実施形態では、画像編集装置１２と印刷制御装置１４とを別々の構成として図示しているが、印刷制御装置１４の機能を画像編集装置１２に搭載する構成も可能である。例えば、１台のコンピュータを画像編集装置１２及び印刷制御装置１４として機能させる構成が可能である。
【００３３】
印刷部１６は印刷制御装置１４の制御にしたがい印刷を行う画像形成手段である。印刷部１６における印刷方式や使用する色材の種類については、特に限定されない。印刷部１６として、例えば、インクジェット印刷機、電子写真プリンタ、レーザープリンタ、オフセット印刷機、フレキソ印刷機など、各種のプリンタを採用できる。「プリンタ」という用語は、印刷機、印刷装置、画像記録装置、画像形成装置、画像出力装置などの用語と同義のものとして理解される。色材には、印刷部１６の種類に応じて、インクやトナー等を使用することができる。
【００３４】
ここでは、説明を簡単にするために、無版式のデジタル印刷機を想定し、印刷制御装置１４と印刷部１６とを組み合わせた構成を印刷装置１８として記載する。印刷制御装置１４と印刷部１６とが一体的に組み合わせた印刷装置１８を構成する態様も可能であるし、印刷制御装置１４と印刷部１６とを別体の装置として構成し、有線又は無線の通信接続により信号の受け渡しを行う態様も可能である。
【００３５】
印刷部１６として印刷版を用いる有版式の印刷機を採用する場合は、印刷制御装置１４に加えて、画像データから印刷版を作るプレートレコーダ等の製版装置（不図示）を備えるシステム構成となる。この場合、製版装置（不図示）と印刷制御装置１４と印刷部１６とを組み合わせた構成が印刷装置１８に相当する。
【００３６】
本実施形態の印刷システム１０は、印刷装置１８の一例として、シアン（Ｃ）、マゼンタ（Ｍ）、イエロー（Ｙ）、ブラック（Ｋ）の４色のインクを用いてカラー画像の形成が可能なインクジェット印刷機を用いる。ただし、インクの色数やその組み合わせはこの例に限らない。例えば、ＣＭＹＫ４色の他に、ライトシアン（ＬＣ）、ライトマゼンタ（ＬＭ）などの淡色インクを加える態様や、赤、緑などの特色のインクを用いる態様なども可能である。
画像編集装置１２は、画像データ入力部２０と、画像データ記憶部２２と、画像処理部２４と、制御部２６と、を備える。また、画像編集装置１２は、画像読取部３０と、測色器３２と、表示部３４と、入力装置３６と、を備える。画像編集装置１２は、コンピュータのハードウェアとソフトウェアの組み合わせによって実現することができる。ソフトウェアは「プログラム」と同義である。画像編集装置１２は、ＲＩＰ（Raster Image Processor）装置の一機能として実現することができる。
【００３７】
画像データ入力部２０は、原稿画像データ４０を取り込むためのデータ取得部である。画像データ入力部２０は、外部又は装置内の他の信号処理部から原稿画像データ４０を取り込むデータ入力端子で構成することができる。画像データ入力部２０として、有線又は無線の通信インターフェース部を採用してもよいし、メモリカードなどの外部記憶媒体（リムーバブルディスク）の読み書きを行うメディアインターフェース部を採用してもよく、若しくは、これら態様の適宜の組み合わせであってもよい。
【００３８】
目標印刷物４２は、再現すべき目標色の色見本印刷物であり、現物の色見本として与えられるものである。原稿画像データ４０は、印刷しようとする画像内容を表すデジタル画像データである。本例の場合、原稿画像データ４０は、目標印刷物４２の原稿画像の絵柄を示す画像データである。目標印刷物４２は、原稿画像データ４０に基づいて印刷された印刷物である。目標印刷物４２を画像出力したプリンタ（印刷装置）や印刷条件などは不明であってよい。目標印刷物４２の出力手段として任意のプリンタを用いることができる。原稿画像データ４０と目標印刷物４２は、印刷の依頼者（クライアント）から提供される。原稿画像データ４０は、目標印刷物４２の印刷面における全体の画像内容を示す全体画像のデータであってもよいし、印刷面に記録される画像の一部としての画像部品（原稿部品）のデータであってもよい。
【００３９】
原稿画像データ４０のデータ形式は、特に限定されない。本例では原稿画像データ４０として、ＣＭＹＫ各色それぞれ８bit （２５６階調）の画像データを用いるが、ＣＭＹＫ信号に限らず、ＲＧＢ信号の形式でもよいし、ＣＭＹＫ信号と特色信号の組み合わせの形式などでもよい。また、信号の階調数（ビット数）についてもこの例に限らない。
【００４０】
画像データ記憶部２２は、画像データ入力部２０を介して取得された原稿画像データ４０を記憶しておく手段である。画像データ入力部２０から取り込まれた原稿画像データ４０は、画像データ記憶部２２に記憶される。
【００４１】
画像読取部３０は、目標印刷物４２や印刷装置１８で印刷された印刷物５０などの印刷物を読み取って、光学像を電子画像データに変換し、読取画像を表すカラー画像としての読取画像データを生成する。例えば、画像読取部３０には、読取画像をＲＧＢ画像のデータとして出力が可能なカラーイメージスキャナを用いることができる。本例の画像読取部３０には、Ｒ／Ｇ／Ｂの色成分の画像信号で表される読取画像データを取得できるスキャナが用いられる。画像読取部３０から取得した読取画像を「スキャン画像」と呼ぶ場合がある。なお、スキャナに代えて、カメラを利用することも可能である。
【００４２】
画像読取部３０は、目標印刷物４２の読取画像データを取得する手段として機能する。また、画像読取部３０は、印刷装置１８で印刷された印刷物５０を読み取り、印刷物５０の読取画像データを取得する手段として機能する。画像読取部３０を介して取得した読取画像データは画像処理部２４に送られる。画像読取部３０によって得られた読取画像データを画像処理部２４に取り込む機能が「読取画像データを取得する機能」に相当する。
【００４３】
画像処理部２４は、画像読取部３０から取得した読取画像データと原稿画像データ４０を基に色変換テーブルの作成処理を行う。また、画像処理部２４は、原稿画像データ４０に対して色変換テーブルを用いた色変換処理を行い、印刷装置１８に受け渡すための印刷画像データを生成する機能を有する。画像処理部２４は、必要に応じて、原稿画像データ４０や読取画像データに対して解像度変換や階調変換などの処理を行う機能を備える。画像処理部２４における処理内容の詳細は後述する。
【００４４】
また、本例の印刷システム１０は、画像読取部３０による読取画像の色情報の精度を高めるために、測色部として機能する測色器３２を備えている。測色器３２には分光測色器が用いられる。分光測色器は、可視光の波長領域を所定の波長刻み幅で反射率を測定し、人間の視覚の分光感度を表すＸＹＺ等色関数を用いてＸＹＺ値を算出して測色値を取得する。測色器３２として用いられる分光測色器は、例えば、可視光の波長領域である３８０ｎｍ−７３０ｎｍの波長領域を１０ｎｍの波長刻み幅（波長ステップ）で反射率を測定し、測色値を得る。測色器３２から得られるＸＹＺ値は、公知の変換式により、Ｌ＊ａ＊ｂ＊表色系などのデバイス非依存色空間の色座標値に変換することができる。
【００４５】
本実施形態では、色の目標値を表すデバイス非依存色空間の表色系（色座標系）として、Ｌ＊ａ＊ｂ＊表色系を用いる例について説明するが、表色系はこれに限定されるものではない。例えば、国際照明委員会が定めるＸＹＺ表色系（輝度（明るさ）を含む刺激値Ｙ、色の刺激値Ｘ，Ｚ））、Ｙｘｙ表色系（輝度Ｙ、色度座標ｘ，ｙ）、Ｌ＊ｕ＊ｖ＊表色系の他、ＨＳＶ表色系（色相Ｈ（hue）、彩度Ｓ（saturation）、明度Ｖ（value）又はＢ（brightness））、ＨＬＳ表色系（色相Ｈ（hue）、彩度Ｓ（saturation）、輝度Ｌ（luminance））、ＹＣｂＣｒ表色系（輝度Ｙ、色差Ｃｂ，Ｃｒ）を用いることが可能である。
【００４６】
本明細書では表記を簡略化するため、Ｌ＊ａ＊ｂ＊表色系の色空間を「Ｌａｂ色空間」と表記し、Ｌａｂ色空間の座標値で表される色度値を「Ｌａｂ値」と表記する。また、各画素の画像信号値がＬａｂ値によって記述される画像データを「Ｌａｂ画像」と表記する場合がある。Ｌａｂ色空間のように、デバイスに依存しない色空間（デバイス非依存色空間）の表色系座標で表される色の値を「色度値」或いは「非デバイス値」と表記する場合がある。本明細書の「色度値」という用語は、ＸＹＺ表色系に限らず、デバイス非依存色空間の表色系座標で表される色の値を意味する。また、ＲＧＢ色空間やＣＭＹＫ色空間のようなデバイス依存色空間の表色系座標で表される色の値を「デバイス値」と表記する場合がある。
【００４７】
測色器３２から得られる測色値の情報は画像処理部２４に送られる。画像処理部２４は、画像読取部３０から得られる読取画像データの他、測色器３２から取得される測色値の情報も加味して色変換テーブルを作成する。
【００４８】
制御部２６は、画像編集装置１２の各部の動作を制御する。表示部３４と入力装置３６はユーザインターフェースとして機能する。入力装置３６は、キーボード、マウス、タッチパネル、トラックボールなど、各種の手段を採用することができ、これらの適宜の組み合わせであってもよい。なお、タッチパネルを表示部３４の画面上に配置した構成のように、表示部３４と入力装置３６とが一体的に構成されている形態も可能である。
【００４９】
オペレータは、表示部３４の画面に表示される内容を見ながら入力装置３６を使って印刷条件の入力や、画質モードの選択、測色位置の指定、付属情報の入力／編集、情報の検索など各種情報の入力を行うことができる。また、入力内容その他の各種情報は表示部３４の表示を通じて確認することができる。
【００５０】
本例の印刷システム１０は、与えられた目標印刷物４２と原稿画像データ４０とを基に、印刷装置１８によって目標印刷物４２と同等の色を再現した印刷物５０が得られるように適切な色変換テーブルを作成して色合わせを行う機能を備える。「同等の色」とは、依頼者が許容できる色の差の範囲で実質的に同等なものとして満足できる許容範囲を含むものである。
【００５１】
＜第一実施形態に係る色変換テーブル作成装置の構成＞
図２は第一実施形態に係る色変換テーブル作成装置の要部構成を示したブロック図である。図２中、図１で説明した要素と同一の要素には同一の符号を付した。
【００５２】
図２に示すように、色変換テーブル作成装置６０は、画像読取部３０と、第一の低解像度画像生成部６１と、第二の低解像度画像生成部６２と、画像対応付け部６３と、色変換部６４と、色変換テーブル作成部６６と、を備えている。
【００５３】
第一の低解像度画像生成部６１は、画像読取部３０から得られる第一の解像度の読取画像データから、第一の解像度よりも低解像度である第二の解像度の画像データを生成する処理部である。第一の低解像度画像生成部６１として、第一の解像度の読取画像データに対して画素を一定の割合で間引く間引き処理、又は画素補間手法を用いて画素値を求める画素補間処理を実施する低解像度化処理部を採用することができる。画素補間手法として例えば、バイリニア法やバイキュービック方などがある。第一の解像度は、画像読取部３０の読取解像度に対応している。第一の解像度は、一般的な印刷物の印刷線数（150ラインパーインチ［lpi］から175［lpi］）の二倍以上であり、かつ、画像読取部３０であるスキャナの特性から信頼性の高い読取解像度であることが好ましい。
【００５４】
画像読取部３０には、読取解像度を可変設定できるスキャナを用いることができる。スキャナの特性として、読取解像度によっては読取画像にモアレが発生するなど信頼性が低くなる場合がある。「信頼性の高い読取解像度」は、使用するスキャナの光学系に依存する。したがって、画像読取部３０の読取解像度については、事前にスキャナの特性を把握し、信頼性の高い解像度を選定することが望ましい。例えば、線数メーターのような周波数特性把握チャートを用いて読取解像度と印刷線数の干渉で起こるモアレの特性を予め把握しておき、読取解像度と信頼度の対応関係から、信頼度の高い読取解像度を選定する。
【００５５】
第二の解像度は、印刷線数の二倍程度であることが好ましい。一般的な印刷物の印刷線数は150［lpi］〜175[lpi]である。したがって、第二の解像度は、300ドットパーインチ［dpi］から350［dpi］程度とすることが好ましい。
【００５６】
次に示す[表１]は、一般的な印刷物のスキャナ読取時におけるスキャナの読取解像度とモアレの発生等に関するメリット／デメリットの例を示した図表である。［表１］に示す関係は、一般的な傾向として把握される。
【００５７】
【表１】
0006298387.tif 000002
【００５８】
また、次に示す［表２］は、画像読取部３０に用いたスキャナの読取解像度と信頼度（モアレの発生特性）の関係の例を示した図表である。なお、［表２］に示す信頼度は、スキャナの使用機種によって変化するものであり、［表２］に示す関係に限定されない。
【００５９】
【表２】
0006298387.tif 000003
【００６０】
［表２］中の信頼度の評価は次のとおりである。
【００６１】
「Ｂ」は、指定読取解像度以外でも周波数特性把握チャートでモアレが発生する。
【００６２】
「Ａ」は、指定読取解像度以外は周波数特性把握チャートでほぼモアレが発生しない。
【００６３】
「ＡＡ」は、指定読取解像度以外は周波数特性把握チャートでモアレが発生しない。
【００６４】
なお、［表２］では「1200dpi」が光学解像度の上限のときの関係を示したものとなっているが、使用するスキャナの機種に応じて、その使用機種の光学解像度上限まで指定解像度と信頼度の対応関係を得ていることが望ましい。
【００６５】
［表１］及び［表２］に示す条件を考慮して、本例では、具体的な数値例として、画像読取部３０の読取解像度を600dpiに設定し、第一の解像度は読取解像度と同等の600dpi、第二の解像度は300dpiとする。
【００６６】
第二の低解像度画像生成部６２は、原稿画像データ４０から、原稿画像データ４０の解像度である第三の解像度よりも低解像度である第四の解像度の画像データを生成する処理部である。第三の解像度は、与えられる原稿画像データ４０に依存しており、様々な値が想定される。第三の解像度は、第一の解像度に合わせることができる。また、第三の解像度が、一般的な印刷用の原稿の解像度（300dpi〜350dpi程度）である場合は、第二の解像度を、この第三の解像度に合致させることが好ましい。
【００６７】
第四の解像度は、第二の解像度に近い値であることが好ましく、特に、第四の解像度は第二の解像度と同等の解像度であることがより好ましい形態である。
【００６８】
第三の解像度が一般的な印刷用の原稿の解像度（300dpi〜350dpi程度）であり、かつ、第二の解像度が第三の解像度と同等である場合などには、第二の低解像度画像生成部６２による処理を省略することができる。つまり、第三の解像度が第二の解像度と同等又は同程度である場合は第二の低解像度画像生成部６２を省略する構成も可能である。「同程度」とは、完全に一致しないまでも、画像対応付け部６３における画像位置の対応付けの精度が許容可能な範囲に収まる解像度の違いを含む。
【００６９】
本例では、具体的な数値例として、原稿画像データ４０の解像度である第三の解像度が600dpiであり、第四の解像度が第二の解像度と同等の300dpiであるとして説明する。
【００７０】
なお、第一の解像度と第三の解像度が同等であり、かつ第二の解像度と第四の解像度とが同等である場合は、第一の低解像度画像生成部６１と第二の低解像度画像生成部６２の処理を共通化して、同一の処理で低解像度変換する構成とすることができる。
【００７１】
画像対応付け部６３は、原稿画像データ４０と、目標印刷物４２の読取画像データの画像位置の対応付けを行い、対応する位置の画像領域から色情報の抽出を行う。本例の画像対応付け部６３では、第一の低解像度画像生成部６１から得られる第二の解像度の画像データと、第二の低解像度画像生成部６２から得られる第四の解像度の画像データを基に、これら二つの画像データの位置合わせの処理を行い、両画像データの対応関係を特定して、対応する位置の画像領域から色情報を抽出する処理を行う。
【００７２】
色抽出の処理に関しては、対応する位置の画素単位で色情報を抽出してもよいし、１画素の面積よりも大きな面積の単位領域（例えば、一辺が１ｍｍの正方形領域）から色情報を取得してもよい。色抽出のための単位領域を構成する画素の数は、２以上任意の数に設定することができる。色の抽出条件として、例えば、着目する単位領域である着目領域内にエッジを含んでいないこと、かつ、着目領域内における色の差が閾値以下であること、という二つの条件要素を満たす場合に、その注目領域の色を抽出する構成とすることができる。
【００７３】
エッジは、画像中の濃淡（明るさ）や色が急激に変化している箇所である。上述の色の抽出条件は、色の差が閾値以下となる範囲で色の誤差（ばらつき）が許容される一様な領域を抽出するための条件である。色の抽出条件について、この例に限らず、他の抽出条件を定めることができる。
【００７４】
画像対応付け部６３の処理により、原稿画像データ４０に基づく第四の解像度の画像データと、画像読取部３０から得られた目標印刷物４２の読取画像データに基づく第二の解像度の画像データから、原稿画像データ４０と第二の解像度の画像データ（読取画像データ）との対応関係が特定される。
【００７５】
本実施形態では、原稿画像データ４０はＣＭＹＫ、画像読取部３０から得られる読取画像データはＲＧＢとして説明するが、発明の実施に際して、適用する色空間はこの例に限らない。原稿画像データ４０は、ＲＧＢ画像データでもよいし、ＣＭＹ画像データでもよく、また、ＣＭＹＫ信号と特色信号とが組み合わされた画像データであってもよい。
【００７６】
画像対応付け部６３によって原稿画像データ４０のＣＭＹＫ値と、読取画像データのＲＧＢ値の対応関係（ＣＭＹＫ−ＲＧＢ）を示すデータが得られる。なお、対応関係はルックアップテーブル（ＬＵＴ：Look up table）の形としてデータ化することができる。
【００７７】
色変換部６４は、画像読取部３０から得られるデバイス依存色空間の色成分の信号値（本例ではＲＧＢ）で表される色情報を、デバイス非依存色空間の色成分の信号値（本例ではＬａｂ）で表される色情報に変換する処理を行う。
【００７８】
画像対応付け部６３において、対比される二つの画像データの画像位置の対応付け（位置合わせ）の処理には、公知の画像位置合わせ方法を利用可能である。例えば、画像位置合わせ方法として特許文献２の段落［００６４］−［００６８］に記載の技術を用いることができる。画像の位置合わせ処理に関して、詳細は後述する。
【００７９】
色変換部６４は、読取色変換テーブル６８を用いて、ＲＧＢ色空間の色情報をＬａｂ色空間の色情報に変換する色変換処理を行う。読取色変換テーブル６８は、スキャナプロファイルに相当する色変換テーブルである。読取色変換テーブル６８は、画像読取部３０から得られるデバイス依存色空間の読取画像信号値であるＲＧＢ値とデバイス非依存のＬａｂ値との対応関係を表す色変換テーブルである。なお、ここでは、デバイス非依存色空間としてＬａｂ色空間を用いるが、他のデバイス非依存色空間を用いることも可能である。画像読取部３０から得られる読取画像信号（ＲＧＢ）の色空間が「第三の色空間」に相当し、Ｌａｂ色空間で例示されるデバイス非依存色空間が「第二の色空間」に相当する。
【００８０】
色変換部６４による色変換処理を経て、原稿画像データ４０のＣＭＹＫ値とＬａｂ値の対応関係（ＣＭＹＫ−Ｌａｂ）を示すデータが得られる。
【００８１】
色変換テーブル作成部６６は、画像対応付け部６３による処理と、色変換部６４による処理とを経て生成される対応関係（ＣＭＹＫ−Ｌａｂ）のデータを基に、ターゲットプロファイルの色変換テーブル７０を作成する。この色変換テーブル７０は、ＣＭＹＫ−Ｌａｂの多次元の変換関係（ここでは四次元→三次元の変換関係）を規定するテーブルである。
【００８２】
ターゲットプロファイルは、「目標プロファイル」、或いは「入力プロファイル」とも呼ばれる。ターゲットプロファイルの色変換テーブル７０は、原稿画像データ４０のＣＭＹＫ信号のターゲットカラー（目標色）をデバイス非依存色空間（ここではＬａｂ空間）で定義したＣＭＹＫ→Ｌａｂの変換関係を記述した色変換テーブルである。原稿画像データ４０の色空間（ここではＣＭＹＫ色空間）が「第一の色空間」に相当する。
【００８３】
図２に示した第一の低解像度画像生成部６１、第二の低解像度画像生成部６２、画像対応付け部６３、色変換部６４、及び色変換テーブル作成部６６の各部は、図１で説明した画像編集装置１２の画像処理部２４に含まれる。
【００８４】
［色変換テーブル作成部６６について］
画像読取部３０、第一の低解像度画像生成部６１、第二の低解像度画像生成部６２、画像対応付け部６３、及び色変換部６４のそれぞれの処理を経ることで、原稿画像データ４０の画像信号値（本例ではＣＭＹＫ値）と、目標印刷物４２の読取画像である第二の解像度の画像データにおける色度値（本例ではＬａｂ値）との対応関係を表すデータが得られる。色変換テーブル作成部６６は、この「原稿画像信号と色度値の対応関係データ」を基に、画像信号値（ＣＭＹＫ）から色度値（Ｌａｂ）に変換する変換関係（ＣＭＹＫ→Ｌａｂ）を規定する色変換テーブルを作成する。
【００８５】
従来の印刷システムの場合、このような色変換テーブルを作成する際は、一般に、カラーチャートを用いて、色空間全体に規則的に配置された画像信号値と色度値との対応関係を求め、この対応関係から所定の補間方法で補間して色変換テーブルする。
【００８６】
これに対し、本実施形態では、現物の再現目標である目標印刷物４２とその原稿画像データ４０とを基にするため、色空間における部分的かつ不規則な配置の画像信号値と色度値の対応関係から色変換テーブルを作成する必要がある。そのため、従来の一般的な補間による手法は利用できない。そのため、以下のような方法をとる。
【００８７】
［実施例１］原稿画像信号と色度値の対応関係データを色変換テーブルに直接対応付ける方法について
原稿画像信号と色度値の対応関係データを色変換テーブルの色空間の格子点に直接対応付ける方法について、図３及び図４の例で説明する。ここでは説明を簡単にするために、ＣＭ２色の色変換テーブルの概念を示す。図３は原稿画像信号（ＣＭ）と色度値（Ｌａｂ）の対応関係データの例である。図４は色変換テーブルの入力側に相当する原稿画像データの色空間（ここではＣＭ面）の格子点を表している。
【００８８】
図４では、Ｃ軸、Ｍ軸のそれぞれについて、信号値の取り得る範囲（変域、値域）を０−１００％で表し、各軸１０％の刻みで格子点を設定している。なお、発明の実施に際して、格子点を規定する各軸の信号の刻み幅は１０％に限らない。また、画像信号の信号値として８bitの整数値（０から２５５）を用いるとき信号値「０」を０％、信号値「２５５」を１００％として、０−２５５の間の値を線型式で対応付けることができる。
【００８９】
図４に示した１０％刻みの格子点は、色変換テーブルにおける入力側の原稿画像信号の格子点を示すものとなる。各格子点に対して、対応するＬａｂ値が割り当てられたものが色変換テーブルに相当するものとなる。
【００９０】
図３の「ＩＤ」は原稿画像データで使用されている色（ＣＭ値）を特定する識別符号である。Ｃ値とＭ値はそれぞれ０−１００％の値域における信号値を表している。Ｌａｂ値は、Ｌ値，ａ値，ｂ値の各成分の値を含む。
【００９１】
ＩＤ＝１のＣＭ値は、（Ｃ，Ｍ）＝（２０，９０）であり、このＣＭ値に対応するＬａｂ値が（Ｌ，ａ，ｂ）＝（５０，６０，−１３）であることを示している。
【００９２】
ＩＤ＝２の色は（Ｃ，Ｍ）＝（２４，６６）であり、このＩＤ＝２のＣＭ値色に対応するＬａｂ値は（Ｌ，ａ，ｂ）＝（６０，３６，−１７）であることを示している。
【００９３】
色変換テーブルの作成に際しては、図４に示すＩＤ毎の原稿画像信号値（ＣＭ値）に対応する色変換テーブルの格子点に、対応する色度値（Ｌａｂ値）を設定する。
【００９４】
ＩＤ＝１のＣＭ値は図４における格子点Ｐ１に対応する色である。ＩＤ＝１に対応する格子点Ｐ１に、対応するＬａｂ値（５０，６０，−１３）が設定される。
【００９５】
ＩＤ＝２〜５については、直接的に対応する格子点がないため、近隣の格子点に対して）色度値を設定する。図４に示すように、ＩＤ＝２，３，４について、原稿画像信号値を取り囲む周囲４つの格子点に色度値を設定する。
【００９６】
ＩＤ＝２は（Ｃ，Ｍ）＝（２４，６６）を取り囲む４つの格子点Ｐ２１，Ｐ２２，Ｐ２３，Ｐ２４に対してそれぞれ同じＬａｂ値（６０，３６，−１７）を設定する。ＩＤ＝３とＩＤ＝４についても同様に、原稿画像信号値を取り囲む４つの格子点に対して色度値を設定する。ただし、ＩＤ＝３とＩＤ＝４のように、それぞれの原稿画像信号値を取り囲む４つの格子点の一部が重複し、同じ格子点に対し異なる色度値の候補が存在する場合は、候補の色度値を平均化して設定する。
【００９７】
すなわち、ＩＤ＝３の（Ｃ，Ｍ）＝（３５，３５）を取り囲む４つの格子点はＰ３１，Ｐ３２，Ｐ３３，Ｐ３４であり、ＩＤ＝４の（Ｃ，Ｍ）＝（４７，２３）を取り囲む４つの格子点はＰ４１（＝Ｐ３３），Ｐ４２，Ｐ４３，Ｐ４４である。（Ｃ，Ｍ）＝（４０，３０）で表される格子点（Ｐ３３＝Ｐ４１）に対しては、ＩＤ＝３の色度値の候補（７１，９，−２０）と、ＩＤ＝４の色度値の候補（７２，−４，−２６）が存在するため、ＩＤ＝３とＩＤ＝４のＬａｂ値の平均値（７１．５，２．５，−２３）を割り当てる。
【００９８】
他の格子点Ｐ３１、Ｐ３２，Ｐ３４については、ＩＤ＝３のＬａｂ値（７１，９，−２０）を設定する。また、Ｐ４２，Ｐ４３，Ｐ４４については、ＩＤ＝４のＬａｂ値（７２，−４，−２６）を設定する。
【００９９】
ＩＤ＝５については、Ｃ値が「１０％」であるため、「取り囲む４つの格子点」に代えて、「２つの格子点」Ｐ５１，Ｐ５２となり、これら格子点Ｐ５１，Ｐ５２に対して、対応するＬａｂ値（８９，６，−８）が設定される。
【０１００】
色変換テーブルの全格子点のうち、原稿画像信号値に関係のない格子点は、原稿画像データ４０の色変換に使用されないため、適当な値に設定しておく。図４における白丸で示した格子点については、例えば、Ｌａｂ＝（１００，０，０）のような任意の値を設定しておくことができる。
【０１０１】
図３及び図４では、説明を簡単にするために、ＣＭ２色の色変換テーブルとして説明したが、３色以上の色変換テーブルでも同様にして格子点に色度値を設定できる。
【０１０２】
２色の場合は任意のＣＭ値を取り囲む格子点は最大４点だが、３色の場合は最大８点、４色の場合は最大１６点となる。
【０１０３】
また、図３及び図４ではＩＤ＝１はＣＭ値が対応する格子点に直接Ｌａｂ値（色度値）を対応付けたが、色変換テーブルを参照する際の演算誤差等により、僅かにずれた点が参照されてしまい、隣接格子点の色度値と補間演算される可能性も考えられる。そのため直接対応する格子点のみならず周囲の隣接格子点にも同一の色度値を設定しておくのも好ましい。
【０１０４】
この実施例１で説明した手法で作成した色変換テーブルを用いて原稿画像データ４０を色変換して印刷装置１８で印刷するのに不都合はない。
【０１０５】
しかし、本実施例１の手法で作成した色変換テーブルを用いて印刷した結果を見てオペレータがさらに色の調整のため原稿画像データを調整（修正）すると不都合が起こり得る。つまり、オペレータが原稿画像データ４０を調整した場合に所望の色の変化が起こらない、或いはオペレータが意図した色の変動方向と異なる色の変動が発生すること等も考えられ、原稿画像データに対する色の調整が困難となる。
【０１０６】
上記のように原稿画像データを調整する際の不都合がなるべく発生しないようにするには、色空間全体が（原稿画像データと直接関係しない色部分でも）、相応の色度値（オペレータが想像する色に近い色）になっており、かつ、色の変化の滑らかさが確保されていることが好ましい。そのような色空間全体の滑らかな連続性を確保できるようにする場合は、以下に述べる実施例２、３、４のような手法を用いるのがよい。
【０１０７】
［実施例２］仮の色変換テーブルを原稿画像信号と色度値の対応関係データによって修正する方法について
実施例２では、予め色空間全体に相応の色変化の滑らかさが確保されている「仮の色変換テーブル」を用意し、原稿画像信号と色度値の対応関係データを用いて仮の色変換テーブルを局所的（部分的）に修正する。
【０１０８】
ここでいう「仮の色変換テーブル」は、例えば、ＣＭＹＫの入力であれば、Japan Color（登録商標）、 SWOP（Specifications Web Offset Printing）、 GRACoL（General Requirements for Applications in Commercial Offset Lithography）、 Fogra等のオフセット印刷における標準色再現を表す色変換テーブルのいずれかを用いることができ、ＲＧＢの入力であればsRGB、AdobeRGB等の色変換テーブルのいずれかを用いることができる。
【０１０９】
また、上述のような標準の色変換テーブルと、過去に本実施例２の手法で作成した色変換テーブルとをデータベースに蓄積しておき、今回の目標印刷物４２の読取画像と原稿画像データ４０から新たに取得した原稿画像信号と色度値の対応関係データに最も近い色変換テーブルを、データベースの中から選択して、当該選択された色変換テーブルを「仮の色変換テーブル」として用いることもできる。標準の色変換テーブルや過去に作成した色変換テーブルが「既存の色変換テーブル」、或いは「既存のターゲットプロファイル」に相当する。
【０１１０】
「原稿画像信号と色度値の対応関係データ」に最も近い色変換テーブルの選択に際しては、原稿画像信号と色度値の対応関係データとの色差の平均値が最も小さいもの、原稿画像信号と色度値の対応関係データとの色差の最大値が最も小さいもの、などをデータベースから自動抽出し、「仮の色変換テーブル」とすることができる。なお、自動抽出により、「仮の色変換テーブル」の候補が複数抽出された場合には、それらの候補を表示部３４に表示させ、ユーザに選択させる構成も可能である。
【０１１１】
この「仮の色変換テーブル」に対し、［実施例１］で説明した格子点に対する色度値の設定を実施する。つまり、図３で説明したＩＤ＝１〜５に対応する格子点Ｐ１、Ｐ２１〜Ｐ２４、Ｐ３１〜Ｐ３４、Ｐ４１〜Ｐ４４、Ｐ５１〜Ｐ５２（図４参照）については、実施例１と同様に色度値を設定し、図３の白丸で示した格子点に対する色度値は「仮の色変換テーブル」の値そのままとなるように、仮の色変換テーブルを修正する。
【０１１２】
こうして得られる修正後の色変換テーブルは、仮の色変換テーブルについて局所的に格子点の色度値を置き換えるため、色度値を置き換えた格子点と置き換えていない格子点との間で色度値の連続性（滑らかさ）が悪くなることが予想される。そのため修正後の色変換テーブルに対し、更に平滑化（スムージング）処理を実施し、色度値の変換の滑らかさを確保することが好ましい。
【０１１３】
［実施例３］色再現モデルを利用する方法について
色再現モデルとして例えばノイゲバウア（Neugebauer）モデルが利用できる。Neugebauerモデルとは各色材（一次色）の０％と１００％の掛け合わせ色の色度値を各色材の面積率に応じて加算することで、各色材任意の面積率の掛け合わせによる再現色の色度値を求めるモデルである。Neugebauerモデルでは、一般には「色度値」としてＸＹＺ値を用いる。
【０１１４】
ここでは、図５を参照しながら、ＣＭＹ３色材での例で色再現モデルを説明する。予測対象色のＣＭＹ面積率が(fc,fm,fy)とすると、各色材の０％と１００％の掛け合わせの面積率Fi(i＝w,c,m,y,cm,my,yc,cmy)は、次式のように算出することができる。式中の「
・」は乗算を表す。
Fw＝（1-fc）・（1-fm）・（1-fy）
Fc＝fc・（1-fm）・（1-fy）
Fm＝（1-fc）・（1-fm）・fy
Fcm＝fc・fm・（1-fy）
Fmy＝（1-fc）・fm・fy
Fyc＝fc・（1-fm）・fy
Fcmy＝fc・fm・fy
【０１１５】
ここで「w」は、印刷用紙など印刷物の基材（印刷基材）そのものを表す。面積率は、印刷基材上における単位面積あたりの被覆率を示している。ここでは、面積率は０以上１以下の値として表される。fc,fm,fyは、画像データの信号値（画像信号値）から把握される値である。
【０１１６】
各色材の０％と１００％の掛け合わせの色度値（例えばＸＹＺ値のＸ）をＸpi（i＝w,c,m,y,cm,my,yc,cmy）とすると、ＣＭＹ面積率（fc,fm,fy）に対する色度値Ｘは次式で求めることができる。
【０１１７】
【数１】
0006298387.tif 000004
【０１１８】
ＸＹＺ値のＹ，Ｚ値についても同様に求めることができ、さらにＸＹＺ値からＬａｂ値への変換も簡単にできる。また、３色印刷以外の２色や４色以上の印刷でも同様にして適用可能である。
【０１１９】
このNeugebauerモデルを色変換テーブルの作成に利用するには各色材の０％及び１００％の掛け合わせの色度値が必要となる。
【０１２０】
しかし、本実施形態では、カラーチャートではなく、現実の印刷物（目標印刷物４２）を基にするため、目標印刷物４２の読み取りから把握される画像信号値（ＣＭＹＫ）と目標印刷物４２の色度値（ＸＹＺ）の対応関係の中に、各色材の０％と１００％の掛け合わせの色は必ずしも存在しない。
【０１２１】
そこで、Neugebauerモデルの各色材０％と１００％の掛け合わせに対応した色度値(Ｘpi, Ｙpi, Ｚpi)を未知数とし、画像信号値（ＣＭＹＫ）、すなわち「Fi」と、目標印刷物の色度値（Ｘm,Ｙm,Ｚm）の対応関係を正解データとして最適化手法により（Ｘpi, Ｙpi, Ｚpi）を推定することを考える。つまり、次式に示す差の二乗和を最小化する（Ｘpi，Ｙpi，Ｚpi）を見つける最適化を行う。
【０１２２】
次式はＸに関する式である。Ｙ，Ｚに関する式も同様に表すことができる。
【０１２３】
【数２】
0006298387.tif 000005
【０１２４】
ここで、jは画像信号値（ＣＭＹＫ）と目標印刷物の色度値（ＸmＹmＺm）の対応関係データのＩＤ（つまり各画素)を意味する添え字である。
【０１２５】
最適化の手法は、例えば、ニュートン法、準ニュートン法、シンプレックス法などが利用できる。ここに例示した方法以外の手法を用いることも可能であり、適用する手法について限定するものではない。
【０１２６】
上記の最適化によって求められた（Ｘpi,Ｙpi,Ｚpi）を用いることで、Neugebauerモデルにより色変換テーブルの各格子点の色度値を算出することができる。
【０１２７】
このように最適化の演算により（Ｘpi,Ｙpi,Ｚpi）を推定したが、画像信号中に色材の０％と１００％の掛け合わせの色があれば、対応する色度値をそのまま（Ｘpi,Ｙpi,Ｚpi）の値として採用してよい。未知数が減り最適化が容易になる。
【０１２８】
また上記の説明ではNeugebauerモデルとしたが、次式のYule-Nielsen補正付きNeugebauerモデルを利用することもできる。nはいわゆるYule-Nielsenの補正係数でありNeugebauerモデルに対し掛け合わせの非線形性を補正する。
【０１２９】
【数３】
0006298387.tif 000006
【０１３０】
この補正係数付きモデルを利用する場合は、nを未知数に追加して最適化を実施すればよい。nはＸＹＺ値で共通でも良いし、Ｘ，Ｙ，Ｚでそれぞれ異なる係数（nx,ny,nz）として求めてもよい。
【０１３１】
この他にも、色予測の基本となる色（Ｘpi,Ｙpi,Ｚpi）を中間面積率も含む掛け合わせ色（例えば、０％，４０％，１００％）に拡張したCellular-Neugebauerモデル等の利用も可能である。また本発明の実施に際しては、Neugebauerモデルに限定されるものではない。画像信号と色度値の関係を表すモデルであればよく、Neugebauerモデル以外の色再現モデルを利用することもできる。また適当なマトリクスや多項式などで色再現（画像信号と色度値の関係）を数式化し、マトリクスの要素や多項式の係数などを最適化することで新たなモデルを作ることもできる。
【０１３２】
［実施例４］実施例３と実施例２の組合せ方法について
実施例４として、色再現モデルを利用して色変換テーブルを作成し、さらに、原稿画像信号と色度値の対応関係データによって、当該色変換テーブル（色再現モデルを利用して作成した色変換テーブル）を修正する方法がある。つまり、実施例４は、実施例３で作成した色変換テーブルを「仮の色変換テーブル」として、さらに実施例２の方法を実施するという方法である。
【０１３３】
［色変換テーブル作成方法について］
図２に示した構成において、色変換テーブル７０の作成処理は次の手順で行われる。
【０１３４】
［手順１］原稿画像データ４０を基に印刷された目標印刷物４２を画像読取部３０で読み取り、読取画像データを取得する。本例では読取画像データとしてＲＧＢ画像が得られるものとする。目標印刷物４２を読み取って目標印刷物４２の読取画像を表す読取画像データを取得する工程が「画像読取工程」の一形態に相当する。また、画像読取部３０で得られた読取画像データを画像処理部２４に取り込む機能が「第一の解像度の読取画像データを取得する機能」の一形態に相当する。
【０１３５】
［手順２］画像読取部３０から得られた第一の解像度の読取画像データを低解像度化処理して、第二の解像度の画像データを生成する処理を行う（第一の低解像度画像生成工程）。第一の低解像度画像生成部６１によって第二の解像度の画像データを生成する機能が「第一の低解像度画像生成機能」の一形態に相当する。
【０１３６】
［手順３］第三の解像度の原稿画像データ４０を低解像度化処理して、第四の解像度の画像データを生成する処理を行う（第二の低解像度画像生成工程）。第二の低解像度画像生成工程は、手順２で説明した第一の低解像度画像生成工程の後に実施してもよいし、先に実施してもよく、或いは、両工程を並行に実施してもよい。なお、原稿画像データ４０の解像度（第三の解像度）によっては、当該第二の低解像度画像生成工程を省略することができる。
【０１３７】
［手順４］画像対応付け部６３では、読取画像データから生成した第二の解像度の画像データと、原稿画像データ４０から生成した第四の解像度の画像データとの位置関係の対応付けを行う処理を行う（画像対応付け工程）。なお、原稿画像データ４０を取り込む工程（原稿画像データ取得工程）は、目標印刷物の読取画像データ取得工程の前でもよいし、後でもよい。
【０１３８】
画像対応付け部６３において原稿画像と読取画像の画素位置の対応関係が特定され、原稿画像データの信号値（ＣＭＹＫ値）と読取画像データの信号値（ＲＧＢ値）との対応関係を示すデータ（「原稿画像と読取画像の対応関係データ」）が得られる。
【０１３９】
［手順５］色変換部６４では、スキャナプロファイルに相当する読取色変換テーブル６８を用い、ＲＧＢ値をＬａｂ値に変換する処理を行う（色変換工程）。色変換部６４により、読取画像データのＲＧＢ値がデバイス非依存色空間の色度値に変換される。
【０１４０】
［手順６］こうして、原稿画像信号（ＣＭＹＫ値）と色度値（Ｌａｂ値）の対応関係を示すデータ（「原稿画像信号と色度値の対応関係データ」）が得られる。この「原稿画像信号と測色値の対応関係データ」を基に、色変換テーブル作成部６６により、色変換テーブル７０が作成される（「色変換テーブル作成工程」）。
【０１４１】
すなわち、色変換テーブル作成部６６は、目標印刷物４２の読取画像データと原稿画像データ４０から対応付けて取得した色情報（デバイス値と非デバイス値のセット）によって、既存プロファイルのデバイス値と非デバイス値の対応関係（ＬＵＴ）を修正することにより、目標印刷物４２の色再現に適したターゲットプロファイルを生成する。
【０１４２】
上述のように、第一の実施形態に係る色変換テーブル作成装置６０によれば、実画像の目標印刷物４２からモアレが発生しにくい比較的に高解像度の第一の解像度による読取画像データを取得でき、この第一の解像度の読取画像データを低解像度化処理して第二の解像度の画像データを生成している。そして、第二の解像度の画像データと原稿画像データ４０を用いて、画像対応付け部６３による画像の位置合わせの処理と色抽出の処理を行う。このため、色情報の信頼性が高く、かつ、取り扱うデータサイズを削減できる。
【０１４３】
すなわち、第一の実施形態に係る色変換テーブル作成装置６０によれば、目標印刷物４２の読み取りに際して、モアレによる偽色の発生を抑え、信頼性の高い読取画像データの色情報を使用してターゲットプロファイルの色変換テーブル７０を作成することができる。また、データ処理に関してデータサイズの削減により、処理の負荷を低減できる。
【０１４４】
<<変形例>>
図２では、画像対応付け部６３による処理の後に色変換部６４による処理を実施しているが、これらの処理順序を入れ替えた構成も可能である。すなわち、第二の解像度の画像データであるＲＧＢの画像データに対して、色変換部６４によるＲＧＢ→Ｌａｂ変換の処理を行い、その後、この得られた読取画像のＬａｂ画像と、原稿画像データ４０（第四の解像度の画像データ）との画像対応付け処理を行う、という構成も可能である。
【０１４５】
［原稿画像データに対する色変換について］
図６は、ターゲットプロファイルを用いて原稿画像データの色変換処理を行う構成を示すブロック図である。図６で説明する色変換の機能を、図２で説明した色変換部６４の機能と区別するために、図２で説明した色変換部６４を「第一の色変換部」と呼び、図６で説明する構成を「第二の色変換部」と呼ぶ。図６に示す第二の色変換部８０は、ＩＣＣプロファイルの形式に則したターゲットプロファイル９２と、プリンタプロファイル９４とを用いて、原稿画像データ４０の変換処理を行い、印刷装置１８（図１参照）に適したデータ形式の画像信号である印刷画像データ９６を生成する。ここでは、印刷装置１８に適したデータ形式の画像信号として、ＣＭＹＫ信号の形式による出力デバイス信号を生成する例を述べる。
【０１４６】
ターゲットプロファイル９２の色変換テーブル（「入力色変換テーブル」という。）には、図２で説明した色変換テーブル作成部６６によって作成された色変換テーブル７０を用いることができる。プリンタプロファイル９４は、出力プロファイルとも呼ばれる。プリンタプロファイル９４の色変換テーブル（「出力色変換テーブル」という。）は、印刷装置１８（図１参照）に与えるＣＭＹＫ信号と印刷装置１８による出力色のＬａｂ値との対応関係を規定した色変換テーブルである。出力色変換テーブルは、再現すべきＬａｂ値に対応する出力ＣＭＹＫ値への変換関係（Ｌａｂ→ＣＭＹＫ）を記述したテーブルとなっている。
【０１４７】
第二の色変換部８０は、ターゲットプロファイル９２とプリンタプロファイル９４を使って、入力ＣＭＹＫ信号を出力ＣＭＹＫ信号に変換するＣＭＹＫ→ＣＭＹＫの色変換処理を行う。図３に示した第二の色変換部８０は、図１に示した画像編集装置１２の画像処理部２４に含まれる。
【０１４８】
こうして、原稿画像データ４０は、第二の色変換部８０により、ＣＭＹＫ→ＣＭＹＫ変換され、色変換後の印刷画像データ９６としてのＣＭＹＫデータが得られる。なお、図６では２つの色変換テーブル（９２，９４）によって、段階的に色変換処理を行うものとして説明したが、実際の処理に際しては、これら２つの色変換テーブル（９２，９４）を統合して１つのＣＭＹＫ→ＣＭＹＫ変換の色変換テーブルにまとめることができる。この統合された多次元（ＣＭＹＫ→ＣＭＹＫ）の色変換テーブルを用いて、１回の処理で色変換を行うことができる。
【０１４９】
なお、上述の第一実施形態では、第一の解像度として600dpiを採用した例を述べたが、発明の実施に際して、第一の解像度は600dpiに限定されない。信頼度の高い読取解像度の範囲で適宜の解像度を「第一の解像度」として採用することができる。例えば、［表２］に示した関係が得られた場合は、600dpiに限らず、1200dpiでもよい。
【０１５０】
＜第二実施形態に係る色変換テーブル作成装置の構成＞
図７は第二実施形態に係る色変換テーブル作成装置の構成を示すブロック図である。図７中、図２で説明した構成と同一又は類似する要素には同一の符号を付し、その説明は省略する。図７に示した色変換テーブル作成装置１００は、画像位置合わせ部１０２と、第一の色抽出部１０３と、第三の低解像度画像生成部１２１と、第四の低解像度画像生成部１２２と、第二の色抽出部１２３と、色変換部１２４とを備える。
【０１５１】
画像位置合わせ部１０２と第一の色抽出部１０３は、画像対応付け部６３に含まれている。画像位置合わせ部１０２は、目標印刷物４２の読取画像データから生成した第二の解像度の画像データと、原稿画像データ４０から生成した第四の解像度の画像データとの位置合わせの処理を行う。
【０１５２】
第一の色抽出部１０３は、画像位置合わせ部１０２によって位置合わせが行われた位置合わせ処理済みの読取画像のデータ（ここでは、第二の解像度の画像データ）と原稿画像のデータ（ここでは、第四の解像度の画像データ）から、それぞれ対応する画像位置の色情報を抽出する処理を行う。
【０１５３】
第一の色抽出部１０３によって、原稿画像に係る第四の解像度の画像データから抽出したＣＭＹＫ値と、読取画像に係る第二の解像度の画像データから抽出したＲＧＢ値との対応関係（ＣＭＹＫ−ＲＧＢ）が特定されたデータが得られる。この対応関係を示す色情報におけるＲＧＢ値を色変換部６４によって非デバイス値（ここではＬａｂ値）に変換することにより、原稿画像に係る第四の解像度の画像データから抽出したＣＭＹＫ値と、読取画像に係る第二の解像度の画像データから色変換されたＬａｂ値との対応関係（ＣＭＹＫ−Ｌａｂ）が特定されたデータが得られる。
【０１５４】
第一の色抽出部１０３によって得られる対応関係（ＣＭＹＫ−ＲＧＢ）、又は、これを色変換部６４で色変換処理して得られる対応関係（ＣＭＹＫ−Ｌａｂ）が「第一の対応関係」の一形態に相当する。ここでは、説明の便宜上、色変換部６４による色変換処理後の対応関係（ＣＭＹＫ−Ｌａｂ）を第一の対応関係と呼ぶことにする。
【０１５５】
第三の低解像度画像生成部１２１は、画像位置合わせ部１０２による位置合わせ処理後の読取画像データに基づき、第二の解像度よりも更に低解像度である第五の解像度の画像データを生成する低解像度化処理を行う。すなわち、第三の低解像度画像生成部１２１は、画像位置合わせ部１０２によって位置合わせが行われた位置合わせ処理済みの読取画像に係る第二の解像度の画像データから、前記第二の解像度よりも更に低解像度である第五の解像度の画像データを生成する。
【０１５６】
第四の低解像度画像生成部１２２は、原稿画像データ４０に基づき、第二の解像度よりも更に低解像度である第六の解像度の画像データを生成する低解像度化処理を行う。すなわち、第四の低解像度画像生成部１２２は、画像位置合わせ部１０２によって位置合わせが行われた原稿画像に係る第四の解像度の画像データから、第二の解像度よりも更に低解像度である第六の解像度の画像データを生成する。
【０１５７】
第五の解像度は、人間の視覚の周波数特性に近似した解像度とすることが好ましい。特開２００６−１９７４５７号公報の段落００６９によれば、人間の視覚の周波数特性に近似した出力上の解像度が25〜120dpi程度であればよいことが記載されている。本実施形態における第五の解像度は、25〜120dpi程度とすることが好ましく、より好ましくは、50〜100dpiとする。本例では、第五の解像度の具体的な値として、50dpiを採用した例を述べる。
【０１５８】
第六の解像度は、第五の解像度と近い値であることが好ましく、特に、第六の解像度は第五の解像度と同等の解像度であることがより好ましい。本例では、第六の解像度の具体的な値として、第五の解像度と同等の50dpiを採用した例を述べる。
【０１５９】
第三の低解像度画像生成部１２１と第四の低解像度画像生成部１２２のそれぞれは、入力される画像データに対して、画素を一定の割合で間引く間引き処理、又は画素補間手法を用いて画素値を求める画素補間処理を実施することによって、50dpiの画像データを生成する低解像度化処理を行う。なお、第三の低解像度画像生成部１２１と、第四の低解像度画像生成部１２２とは、同一の処理内容とすることができ、第三の低解像度画像生成部１２１と、第四の低解像度画像生成部１２２の処理機能を統合した共通の低解像度化処理部で構成することができる。なお、低解像度画像の生成処理に関して、ガウシアンフィルタなどぼかしフィルタをかけることにより平均化された画像を低解像度画像とみなしてもよい。ぼかしフィルタの適用により、エッジが鈍り、多少構造がある画像領域から平均的な色を抽出することができるという点で、上述の間引き処理や画素補間処理による解像度変換と同等の効果が得られる。
【０１６０】
第三の低解像度画像生成部１２１による第五の解像度の画像データの生成処理と、第四の低解像度画像生成部１２２による第六の解像度の画像データの生成処理とは、それぞれ画像位置合わせ部１０２による画像位置合わせの処理の後に実施される。これは、仮に、第五の解像度の画像データと第六の解像度の画像データとを生成した後に、画像位置合わせの処理を行うとすると、極めて低解像度の画像データに基づいて画像位置合わせの処理を行うことになり、位置合わせの精度が悪くなるためである。
【０１６１】
第二の色抽出部１２３は、第三の低解像度画像生成部１２１で生成された第五の解像度の画像データと、第四の低解像度画像生成部１２２で生成された第六の解像度の画像データから、対応する位置の色情報を抽出する処理を行う。第二の色抽出部１２３で抽出される色は、第一の色抽出部１０３で抽出される色に比べて、色の数が少ないものとなるが、より平均的な色が抽出されることになる。
【０１６２】
第五の解像度の画像データは、目標印刷物４２の読取画像データから生成されており、第六の解像度の画像データは、原稿画像データ４０から生成されている。第二の色抽出部１２３によって、第六の解像度の画像データから抽出したＣＭＹＫ値と、第五の解像度の画像データから抽出したＲＧＢ値との対応関係（ＣＭＹＫ−ＲＧＢ）が特定されたデータが得られる。
【０１６３】
色変換部１２４は、既述した色変換部６４と同様に、読取色変換テーブル６８を用いてＲＧＢ値を非デバイス値（ここではＬａｂ値）に変換する処理を行う。色変換部６４と、色変換部１２４とは、同一の処理内容とすることができ、これらの処理機能を統合した共通の色変換部として構成することができる。
【０１６４】
第二の色抽出部１２３によって得られた対応関係（ＣＭＹＫ−ＲＧＢ）を示す色情報におけるＲＧＢ値を色変換部１２４によって非デバイス値（ここではＬａｂ値）に変換することにより、原稿画像に係る第六の解像度の画像データから抽出したＣＭＹＫ値と、読取画像に係る第五の解像度の画像データから色変換されたＬａｂ値との対応関係（ＣＭＹＫ−Ｌａｂ）が特定されたデータが得られる。
【０１６５】
第二の色抽出部１２３によって得られる対応関係（ＣＭＹＫ−ＲＧＢ）、又は、これを色変換部１２４で色変換処理して得られる対応関係（ＣＭＹＫ−Ｌａｂ）が「第二の対応関係」の一形態に相当する。ここでは、説明の便宜上、色変換部１２４による色変換処理後の対応関係（ＣＭＹＫ−Ｌａｂ）を第二の対応関係と呼ぶことにする。
【０１６６】
図７に示した色変換テーブル作成部６６は、第一の色抽出部１０３及び色変換部６４の処理を介して生成される第一の対応関係と、第二の色抽出部１２３及び色変換部１２４の処理を介して生成される第二の対応関係を基に、色変換テーブル７０を作成する。
【０１６７】
すなわち、図７に示した色変換テーブル作成部６６は、まず、第二の対応関係を基に、一旦、色変換テーブルを作成し、その後、更に、この色変換テーブルに対して、第一の対応関係を加えてテーブルを修正し、最終的な色変換テーブル７０を作成する。こうして、第二の対応関係を基に、一旦、作成された色変換テーブルに対し、第一の対応関係のデータが追加されて、色変換テーブル７０が作成される。第一の対応関係と第二の対応関係とで、同じＣＭＹＫ値に対して異なるＬａｂ値が対応付けられている場合には、第一の対応関係の値が優先されて、色変換テーブル７０に反映される。
【０１６８】
＜第三実施形態＞
図２及び図７では、一つの目標印刷物４２から一つのターゲットプロファイルとしての色変換テーブル７０を作成する例を説明したが、複数の異なる目標印刷物から一つのターゲットプロファイルを生成することも可能である。すなわち、複数の原稿画像データと、それぞれの原稿画像データに基づいて印刷された複数の目標印刷物が与えられた場合に、図２で説明した構成によって、これらの複数の目標印刷物をそれぞれ画像読取部３０で読み取り、それぞれの原稿画像と読取画像の対応関係を統合して、一つの色変換テーブルを作成することができる。
【０１６９】
また、複数の目標印刷物から一つの平均的なターゲットプロファイルを作成することもできる。かかる平均的なターゲットプロファイルを作成するにあたり、複数の目標印刷物が類似した色を含んでおり、複数の目標印刷物の読取画像データから類似した色が抽出された場合には、色変換テーブルを作成する際の格子点に対する色の対応付けに際して、色の取り合いが発生し、格子点の修正Ｌａｂ値は、類似した複数の色の平均値になる。「色の取り合い」とは、例えば、図３のＩＤ＝３とＩＤ＝４とで同じ格子点に、複数の色度値が対応しているような場合を意味する。
【０１７０】
そのため、図７で説明した構成のように、平均的な色を抽出できる、第五の解像度の画像データと、第六の解像度の画像データから作成した対応関係を複数個まとめて、平均的な色変換テーブルを作成することも考えられる。
【０１７１】
図８から図１０は複数の目標印刷物から一つの（単一の）色変換テーブルを作成する構成を示したブロック図である。図８から図１０において、図７で説明した構成と同一つ又は類似する要素には同一の符号を付し、その説明は省略する。
【０１７２】
ここでは、説明を簡単にするために、二つの目標印刷物から一つの色変換テーブルを作成する例を説明する。互いに異なる二種類の目標印刷物と、それぞれの目標印刷物に対応する原稿画像データ、並びに、それぞれの目標印刷物を読み取って生成される対応関係を区別して理解容易に表記するために、図８では目標印刷物４２Ａを「目標印刷物Ａ」、原稿画像データ４０Ａを「原稿画像データＡ」、対応関係データ１３６Ａを「原稿画像と色度値の対応関係Ａ」と表記し、図９では目標印刷物４２Ｂを「目標印刷物Ｂ」、原稿画像データ４０Ｂを「原稿画像データＢ」、対応関係データ１３６Ｂを「原稿画像と色度値の対応関係Ｂ」と表記している。
【０１７３】
図８に示す色変換テーブル作成装置１３０における画像対応付け部６３は、画像位置合わせ部１０２と、第三の低解像度画像生成部１２１と、第四の低解像度画像生成部１２２と、色抽出部１３３とを備えている。色抽出部１３３は、図７で説明した第二の色抽出部１２３に相当するものである。
【０１７４】
図８に示す目標印刷物４２Ａは、原稿画像データ４０Ａを基に印刷されたものである。図８に示す構成により、目標印刷物４２Ａを画像読取部３０で読み取った読取画像データと、原稿画像データ４０Ａを基に、原稿画像と色度値の対応関係Ａ（ＣＭＹＫ−Ｌａｂ）を示す対応関係データ１３６Ａが得られる。この対応関係データ１３６Ａは、第三の低解像度画像生成部１２１で生成された第五の解像度の画像データと、第四の低解像度画像生成部１２２で生成された第六の解像度の画像データとから抽出される色情報により生成される。こうして生成された対応関係データ１３６Ａは、対応関係データ記憶部１４４（図１０参照）に記憶される。対応関係データ記憶部１４４は、図１で説明した画像編集装置１２の画像処理部２４に備えられる。
【０１７５】
図９に示す目標印刷物４２Ｂは、原稿画像データ４０Ｂを基に印刷されたものである。図９に示したように、目標印刷物４２Ｂを画像読取部３０で読み取った読取画像データと、原稿画像データ４０Ｂを基に、原稿画像と色度値の対応関係Ｂ（ＣＭＹＫ−Ｌａｂ）を示す対応関係データ１３６Ｂが得られる。この対応関係データ１３６Ｂは、第三の低解像度画像生成部１２１で生成された第五の解像度の画像データと、第四の低解像度画像生成部１２２で生成された第六の解像度の画像データとから抽出される色情報により生成される。
【０１７６】
こうして生成された対応関係データ１３６Ｂは、対応関係データ記憶部１４４（図１０参照）に記憶される。
【０１７７】
その後、図１０に示したように、色変換テーブル作成部６６は、対応関係データ記憶部１４４に保持されている複数の対応関係データ１３６Ａ、１３６Ｂを基に、これらをまとめて、単一の色変換テーブル７０を作成する。複数の対応関係データ１３６Ａ、１３６Ｂをまとめて作成される色変換テーブル７０は、複数の目標印刷物４２Ａ、４２Ｂの色再現に共通して利用できる平均的なターゲットプロファイルとなる。
【０１７８】
図７から図１０では、二つの目標印刷物４２Ａ、４２Ｂから一つの色変換テーブル７０を作成する例を述べたが、三つ以上更に多数の目標印刷物から一つの色変換テーブルを作成する場合に拡張適用できることは自明である。
【０１７９】
［画像の位置合わせ処理について］
ここで、画像対応付け部６３（図２及び図７参照）における画像の位置合わせ処理の例を説明する。図１１は画像対応付け部６３（図２及び図７参照）に含まれる画像位置合わせ部１０２の具体例を示したブロック図である。画像位置合わせ部１０２は、幾何対応関係推定部１５２と、幾何変換部１５４とを備える。幾何対応関係推定部１５２は、原稿画像データ４０と読取画像データ１６０とを取り込み、これら２つの画像の幾何対応関係を推定する。ここに示した読取画像データ１６０は、第一の低解像度画像生成部６１（図２及び図７参照）で生成された第二の解像度の画像データを意味している。また、図１１に示した原稿画像データ４０は、第二の低解像度画像生成部６２（図２参照）で生成された第四の解像度の画像データとすることができる。
【０１８０】
幾何対応関係には、対比される２画像間の画像の変位量、回転角、変倍率のうち少なくとも１つの要素が含まれる。
【０１８１】
幾何変換部１５４は、幾何対応関係推定部１５２にて推定された幾何対応関係に基づいて、２つの画像のどちらか一方、或いは両方に対し、両者を一致させるような幾何変換の処理を行う。例えば、読取画像データ１６０に対して幾何変換を行うものとし、原稿画像データ４０については幾何変換を実施しない構成とすることができる。また、幾何変換の一例としてアフィン変換を適用することができる。
【０１８２】
２つの画像の幾何対応関係の推定には、例えば、（ａ）マーカーを利用する方法、（ｂ）パターンマッチングを用いる方法、（ｃ）位相限定相関法を用いる方法などが利用できる。以下、特許文献２の記載事項を援用しながら説明する。
【０１８３】
（ａ）マーカーを用いる方法
印刷業界でいわゆる「トンボ」と呼ばれる基準位置を示すマーカーが原稿画像の四隅や各辺の中央に配置された印刷物が出力される。このようなマーカー付きの印刷物を読み取った際に、このマーカーの位置のずれ量を測定して、画像間の変位量や回転角、変倍率を求めることができる。
【０１８４】
例えば、１枚の印刷物に４つから６つのトンボ（マーカー）が形成される。原稿画像データ上のマーカーと印刷物の読取画像データ上のマーカーとの位置ずれを比較することで、幾何学変換パラメータを求めることができる。
【０１８５】
原稿画像データにおけるマーカーの特徴点の位置を示す点と、読取画像データにおけるマーカーの特徴点の位置を示す点どうしの対応関係を求めることで、幾何学変換パラメータが得られる。ここで、２つの画像のうち一方の画像に例えばアフィン変換を行うことで２つの点パターンをマッチングさせることが知られている。したがって、幾何学変換パラメータを求めるには、２つの点パターンの各位置が最も近似する最適なアフィンパラメータを探し出せばよい。例えば、読取画像データにおけるマーカーの特徴点を原稿画像データにおけるマーカーの特徴点にアフィン変換するためのアフィンパラメータの評価関数を定め、評価関数が最小になるときのアフィンパラメータを幾何学変換パラメータとする。
【０１８６】
（ｂ）パターンマッチング法を用いる方法
変位量のみを推定する方法の一例としては、テンプレートマッチング法が挙げられる。テンプレートマッチング法は一方の画像をテンプレートとし、位置を少しずつずらしながら他方の画像と一致度を求め、最も一致度の高くなる位置を検出するものである。幾何学変換が変位だけに限定できない場合には、回転角を推定する方法（ハフ変換など）や変倍量を推定する方法（マルチスケール解析など）と組み合わせて利用する必要がある。
【０１８７】
テンプレートマッチングを応用したブロックマッチング法では、一方の画像をブロックに分割し、ブロックごとに他方の画像と最も一致度の高くなる位置を検出することにより変位量を求めることができる。ブロックマッチング法では、ブロックごとの変位量から回転角や変倍率を推定することも可能である。
【０１８８】
（ｃ) 位相限定相関法を用いる方法
高い精度で変位量や回転角、変倍率を求める方法の例として、位相限定相関法（POC；Phase Only Correlation）や回転不変位相限定相関法（RIPOC；Rotation Invariant Phase Only Correlation）がある。位相限定相関法は、画像に対して離散フーリエ変換をかけて得られる位相画像を用い、比較対象の２枚の画像から得られる２つの位相画像の相関が最も高くなる位置を検出することにより、変位量を求める手法である。また、回転不変位相限定相関法は、上記位相画像を対数極座標変換することにより、回転角と変倍率を変換された位相画像上での変位量として検出できるようにしたものである。
【０１８９】
上記例示の手法（ａ）〜（ｃ）などにより、幾何学変換パラメータを求めた後、幾何変換部１５４は読取画像データ１６０（又は原稿画像データ４０）に幾何学変換を実行する。変換に際してサブピクセル精度の移動や何らかの回転、実数値での変倍などにより変換前後の画素が一対一で対応付かないようなケースでは、適宜画素補間手法を用いて画素値を導出すればよい。画素補間手法の例としては、バイリニア法、バイキュービック法などが挙げられる。
【０１９０】
こうして、原稿画像データ４０との位置関係の対応付けが定まり、対応付け済み読取画像データ１６０が得られる（図１１参照）。対応付け済み読取画像データ１６２は第一の色抽出部１０３（図７参照）に送られる。また、対応付け済み読取画像データ１６２は第三の低解像度画像生成部１２１（図７及び図８参照）に送られる。
【０１９１】
［画像対応付け（位置合わせ）のための前処理について］
図１１に示した原稿画像データ４０の解像度と読取画像データ１６０の解像度とが異なる場合には、画像対応付け部６３（図２及び図７参照）にて、読取画像データ１６０に対し、原稿画像データ４０の解像度と一致させる解像度変換を行うことが好ましい。画像対応付け部６３は、解像度変換の処理を行うための解像度変換部（不図示）を含む構成とすることができる。
【０１９２】
また、例えば、原稿画像データ４０がＣＭＹＫ画像、読取画像データ１６０がＲＧＢ画像である場合のように、原稿画像データ４０と読取画像データ１６０の色空間が異なる場合には、画像対応付け部６３による画像の位置合わせ（対応付け）を行う前に、両者をグレースケール変換し、同じ色空間に変換しておくのが好ましい。
【０１９３】
グレースケール変換は、例えば、読取画像データ１６０をスキャナプロファイル（図２で説明した読取色変換テーブル６８）でＬａｂ値に変換し、Ｌ値（明度）のみ取り出したモノクロ画像とすることで実現できる。原稿画像データ４０に対しては、図２や図７の構成によってターゲットプロファイルを作成する時点では目標印刷物４２のカラープロファイルは存在しないが、例えばJapan Color（登録商標）など代表的なプロファイルを利用できる。
【０１９４】
また、原稿画像データ４０と読取画像データ１６０の両者をグレースケールに変換したとしても画素値（濃度値）が異なることが想定されるため、グレースケール画像に対し、さらにエッジ抽出処理を実施し、２値のエッジ画像に変換してから位置合わせを実施しても良い。エッジ抽出処理には、公知のソーベル（Sobel）法やプレウィット（Prewitt）法などが利用できる。
【０１９５】
また２つのエッジ画像のエッジ太さは異なってくることも想定されるため、それぞれのエッジ画像に対してさらに細線化処理を実施し、エッジ太さを揃えてから位置合わせを実施するようにしても良い。細線化処理には、公知のヒルディッチ（Hilditch）の方法や田村の方法などが利用できる。
【０１９６】
このように原稿画像データ４０と読取画像データとで画像の色空間が異なる場合は、画像の幾何対応関係を推定し易いように、位置合わせのための前処理をしておくことが好ましい。なお、原稿画像データ４０と読取画像データが同じ色空間の場合でも前処理を実施してもよい。
【０１９７】
さらにまた、目標印刷物４２は、印刷装置１８以外の他の印刷装置で印刷した印刷物の現物（実際に出荷された印刷物）であり、目標印刷物４２と原稿画像データ４０とが一対一対応していない場合が考えられる。例えば、目標印刷物４２と原稿画像データ４０とが一対一対応していない場合として、次のような例を挙げることができる。
【０１９８】
<例１>：目標印刷物４２が、同じ原稿画像データ４０を同一印刷面内に多数配置した印刷物の場合。
【０１９９】
<例２>：目標印刷物４２が、原稿画像データ４０と色合わせ対象ではない画像データ（原稿画像データ４０とは異なる他の画像データ）とを同一印刷面内に配置した印刷物の場合。なお、互いに異なる複数の画像データを同一印刷面内に配置することを「異種面付け」又は「ギャンギング」などと言う。
【０２００】
<例３>：原稿画像データ４０が目標印刷物４２の一部（デザイン／レイアウトの一部）を構成している場合。
【０２０１】
上記の<例１>から<例３>に例示したように目標印刷物４２と原稿画像データ４０とが一対一対応していない場合には、目標印刷物４２の読取画像の中から注目する原稿画像データ４０に対応する部分画像を抜き出す部分画像抜き出し処理を行うことが有用である。
【０２０２】
ここでは、<例１>の更なる具体例として、目標印刷物４２が同じ原稿画像データ４０を同一印刷面内に多数配置（面付け）された印刷物である場合を説明する。
【０２０３】
図１２（Ａ）（Ｂ）にその例を示す。図１２（Ａ）は原稿画像データの例を示し、図１２（Ｂ）は目標印刷物の例である。図１２（Ｂ）に示した目標印刷物は、図１２（Ａ）の原稿画像データを印刷面内に入れ子状に多数配置（面付け）して印刷した印刷物である。
【０２０４】
このような場合、目標印刷物の読取画像データをそのまま使用するのではなく、画像対応付け部６３による位置合わせの前に読取画像データ中で原稿画像データと対応する部分画像を予め抜き出しておくのが好ましい。
【０２０５】
部分画像を抜き出す処理の方法としては、公知のパターンマッチングを用いて原稿画像と対応する部分画像を特定して自動で抜き出す方法や、モニタとしての表示部３４に読取画像を表示させ、ユーザが原稿画像と対応する部分画像の範囲を手動で指定する方法などが考えられる。
【０２０６】
<例１>の場合に限らず、<例２>や<例３>の場合でも同様に、部分画像抜き出し処理を行うことが有用である。
【０２０７】
なお、上記の部分画像抜き出し処理は、例えば、依頼者から原稿画像１つ分の色見本が提供されている場合など、原稿画像データ４０と目標印刷物４２とが一対一対応していれば不要である。
【０２０８】
図１３は上述した前処理を含む画像対応付けの処理を行う構成のブロック図である。図１３中、図１１で説明した構成と同一又は類似する要素には同一の符号を付した。図１３に示した画像対応付け部６３は、原稿対応画像抜き出し部１７０と、グレースケール変換部１７２と、エッジ抽出部１７４と、細線化部１７６と、幾何対応関係推定部１５２と、幾何変換部１５４と、を備える。
【０２０９】
原稿対応画像抜き出し部１７０は、図１２（Ｂ）で例示したような複数の画像が面付け配置された目標印刷物４２を読み取って得られた読取原画像データ１８０から原稿画像データ４０に対応する部分画像を抽出する処理を行う画像抜き出し部として機能する。読取原画像データ１８０は図１２（Ｂ）のような目標印刷物の印刷面の全体を読み取って生成される読取画像のデータである。読取原画像データ１８０はＲＧＢ画像でもよいし、Ｌａｂ画像でもよい。図１３に示した読取原画像データ１８０は、第一の低解像度画像生成部６１（図２及び図７参照）で生成される第二の解像度の画像データに相当する。
【０２１０】
原稿対応画像抜き出し部１７０によって抜き出された部分画像のデータが、原稿画像データ４０と対比される読取画像データ１６０となる。
【０２１１】
グレースケール変換部１７２は、原稿画像データ４０と読取画像データ１６０のそれぞれについて、グレースケールに変換する処理を行う。エッジ抽出部１７４は、グレースケール画像からエッジ抽出の処理を行う。細線化部１７６は、エッジ抽出部１７４で生成されたエッジ画像の細線化処理を行う。
【０２１２】
細線化部１７６により細線化処理されたエッジ画像が幾何対応関係推定部１５２に入力され、幾何対応関係推定部１５２にて、原稿画像データ４０と読取画像データ１６０の幾何対応関係が特定される。こうして求めた幾何対応関係を利用して、幾何変換部１５４により読取画像データ１６０に対する幾何変換の処理が実施され、対応付け済み読取画像データ１６２が得られる。
【０２１３】
画像対応付け部６３による対応付けの処理機能が「画像対応付け機能」に相当する。なお、原稿画像データ４０と目標印刷物４２の印刷画像とが一対一対応している場合は、図１３における読取原画像データ１８０がそのまま読取画像データ１６０として扱われる。
【０２１４】
［測色器３２の活用について］
目標印刷物４２をスキャナ等の画像読取部３０で読み取って取得した色度値には様々な誤差要因が考えられる。誤差要因として、例えば、スキャナの読み取り誤差、スキャナプロファイルの誤差、画像信号と色度値の対応付けの誤差、色変換テーブル作成の誤差などがあり得る。
【０２１５】
したがって、このような誤差要因の影響を低減し、色合わせの精度をより一層高めるために、分光測色器（測色器３２）を併用することが好ましい。画像読取部３０を介して取得される情報と、分光測色器で測色した情報とを組み合わせることで色合わせ精度を向上させることができる。
【０２１６】
［測色方法、測色値と画像位置の対応付け方法について］
印刷物のグラデーション部や絵柄部に関しては、所望の画像信号値に対応する測色値を分光測色器で取得するのは、物理的に難しい。その主な理由として、第１に、分光測色器のアパーチャーが、ある大きさを持つこと、第２に、測色位置を所望の位置に精密に合わせることが困難であること、が挙げられる。
【０２１７】
この点、分光測色器のアパーチャーのサイズより十分広い面積を持つ平網部分（一定の画像信号値が広がっている部分）であれば、所望の画像信号値に対する測色値を容易に取得可能である。
【０２１８】
本実施形態では、測色器３２によって画像信号値と対応する測色値を取得する方法として、以下の方法がある。
【０２１９】
（１）第１の方法は、原稿画像データを解析して、測色器３２によって測定可能な平網部分を自動で特定し、測色推奨位置を表示部３４に表示し（図１参照）、ユーザに測色させる方法である。
【０２２０】
この場合、原稿画像データの中で、同じ色の画素数が多い色ほど、優先順位が高いものとして、グラフィカルユーザインターフェース（ＧＵＩ；graphical user interface）で上から優先順に、測色推奨位置の候補を並べるようにしてもよい。
【０２２１】
（２）第２の方法は、表示部３４に原稿画像データの画像内容（原稿画像）を表示させ、ユーザが画面上で測色位置を選択して測色を行う方法である。
【０２２２】
なお、位置を指定して自動で測色できる測色器であれば、測色器に指示して自動測色させることもできる。
【０２２３】
ユーザが測色位置を画面上で指定する第２の方法において、ユーザがグラデーション部や絵柄部を指定した場合、測色対象画像信号値はユーザ指定位置に対応する画像中のある範囲内（例えば、測色器３２のアパーチャーの範囲程度）を平均化することで取得し、測色値は指定位置で測色を実施することで、アパーチャー範囲内の平均化された測色値として取得可能である。
【０２２４】
この場合、測色はユーザ指定位置（その近傍を含む）で複数回実施するようにユーザに促し、複数回の測色結果を平均化して測色値を得るようにすることが好ましい。すなわち、ユーザが手動で測色器３２の位置を合わせる作業を行うと、測色位置に微妙なずれが生じるため、複数回の測色を実施し、複数回の測色結果を平均化することで、位置ずれによる測定誤差の影響を低減することが好ましい。
【０２２５】
測色器３２による測色の対象となった位置の画像信号（原稿画像信号或いは読取画像信号）と測色器３２で取得した測色値の組合せデータが得られる。この組合せデータの利用方法に関する具体例を以下に説明する。
【０２２６】
［測色値利用方法の第１例］
測色器３２から得られる測色値の利用方法の第１例として、原稿画像と色度値の対応関係に測色値を直接反映させる方法を説明する。
【０２２７】
図１４は測色値利用方法の第１例に係る構成を示したブロック図である。図１４中、図２で説明した構成と同一又は類似する要素には同一の符号を付し、その説明は省略する。図１４に示す構成は、図２で説明した色変換テーブル作成装置６０の主要構成に対して、測色器３２、測色位置対応付け部１９２及び色度値置換部１９４が追加された構成となっている。
【０２２８】
測色位置対応付け部１９２は、測色器３２によって測色値が得られる測色位置と原稿画像データ４０における位置と対応付けの処理を行う。すなわち、測色位置対応付け部１９２は、測色器３２を用いて印刷物を測色した測色位置に対応する原稿画像上の位置を把握して、原稿画像データ４０の中の測色位置に相当する画像位置の原稿画像信号値（「測色対象原稿画像信号値」という。）を取得する手段として機能する。また、測色位置対応付け部１９２は、画像読取部３０から得られる読取画像データを基に、測色器３２を用いて印刷物を測色した測色位置に対応する読取画像データ上の位置を把握して、読取画像データ中の測色位置に相当する画像位置の画像信号値（「測色対象読取画像信号値」という。）を取得する手段として機能する。
【０２２９】
測色位置対応付け部１９２は、既に説明した測色推奨位置を提供する手段や、測色位置をユーザが設定できるＧＵＩ、指定された測色位置について自動的に測色を実施する自動測色手段などを含むことができる。
【０２３０】
色度値置換部１９４は、目標印刷物４２の読取画像データに対して画像対応付け部６３及び色変換部６４による処理が行われて生成された原稿画像信号と色度値の対応関係データに対し、測色器３２から取得される測色値（ここではＬａｂ値）と、測色位置対応付け部１９２から得られる測色対象原稿画像信号値（ＣＭＹＫ値）とを基に、対応関係データにおける測色対象原稿画像信号値に対応する色度値データを測色器３２で取得した測色値に置き換える置換処理を行う。
【０２３１】
色度値置換部１９４による置換処理を経て生成される置換処理後の「原稿画像信号と色度値の対応関係データ」を基に、色変換テーブル作成部６６によって色変換テーブル７０が作成される。このようにして画像信号と色度値の対応関係のデータに、測色器３２からの測色値を反映することにより、色変換の精度がより一層向上する。
【０２３２】
なお、図１４で説明した測色器３２、測色位置対応付け部１９２、及び色度値置換部１９４の構成は、図７に示した構成や図８に示した構成にも同様に追加することができる。
【０２３３】
［測色値利用方法の第２例］
測色器３２から得られる測色値の利用方法の第２例として、測色値を基にスキャナプロファイルの選択又は補正を行う方法を説明する。
【０２３４】
画像読取部３０に用いられるスキャナは、一般にはＲＧＢ３原色のフィルタを通して取得した画像信号（スキャナ画像信号）を取得する。ＲＧＢ３原色のフィルタの分光感度は、分光測色器のＸＹＺ等色関数とは異なるものである。
【０２３５】
スキャナプロファイルとは、スキャナ画像信号と、測色値（デバイス非依存色空間の色度値）との対応付けをしたものである。スキャナにおけるＲＧＢ３原色のフィルタの分光感度（すなわち、スキャナの分光感度）は、分光測色器のＸＹＺ等色関数とは異なるものである。そのため、異なる分光特性を持つ色材や基材の場合に、スキャナで取得したＲＧＢ信号値は同じになる場合でも、測色器３２で取得されるＸＹＺ値(Lab値)は異なる事も起こり得る。つまり、スキャナプロファイルは印刷物の色材や基材に依存性がある。
【０２３６】
そこで、予め様々な色材や基材に対する複数のスキャナプロファイルをデータベースに用意しておき、測色対象読取画像信号と測色値の関係から、実際の印刷物での測色値に対して、最も近いスキャナプロファイルを選択する構成が好ましい。
【０２３７】
また、測色対象読取画像信号と測色値の関係からスキャナプロファイルの色変換テーブルを補正し、画像読取部３０で得られる色度値を実際の印刷物から得られる測色値に近くなるようにする構成も好ましい。
【０２３８】
図１５は測色値を基にスキャナプロファイルの選択と補正を行う手段を備えた構成例である。ここでは、測色器３２から得られる測色値を用いてスキャナプロファイルの選択と修正をどちらも実施する場合を説明するが、スキャナプロファイル選択と修正のどちらか一方を実施する形態も可能である。すなわち、スキャナプロファイルの選択のみ実施する形態でもよいし、スキャナプロファイルを１つだけ用意しておき、適応的に修正のみ実施するような形態でもよい。
【０２３９】
図１５中、図２及び図１４で説明した構成と同一又は類似する要素には同一の符号を付し、その説明は省略する。図１５に示した構成例は、図２で説明した色変換テーブル作成装置６０の主要構成に対して、測色器３２、測色位置対応付け部１９２、読取色変換テーブルデータベース２００、読取色変換テーブル選択部２０２、及び読取色変換テーブル補正部２０４が追加された構成となっている。
【０２４０】
読取色変換テーブルデータベース２００には、様々な色材や基材の組合せに対する複数の読取色変換テーブル（スキャナプロファイル）が蓄積されている。また、読取色変換テーブルデータベース２００には、過去に本システムで作成又は修正された読取色変換テーブルを保存しておくことができる。
【０２４１】
読取色変換テーブルデータベース２００には、印刷装置１８（図１参照）による印刷に使用することができる色材種と基材種の様々な組み合わせに対して、組み合わせ毎の画像読取部３０からの読取信号と色度値の対応関係を表すスキャナプロファイルとしての読取色変換テーブルが格納されている。
【０２４２】
読取色変換テーブル選択部２０２は、測色器３２から得られる測色値と、測色位置対応付け部１９２から得られる測色対象読取画像信号値とを基に、読取色変換テーブルデータベース２００の中から適切なスキャナプロファイルを選択する処理を行う。
【０２４３】
読取色変換テーブル補正部２０４は、読取色変換テーブルデータベース２００から読み出されたスキャナプロファイルの読取色変換テーブルに対し、測色器３２から得られる測色値と、測色位置対応付け部１９２から得られる測色対象読取画像信号値とを基に、テーブル値を補正する処理を行う。
【０２４４】
読取色変換テーブル選択部２０２による選択処理、及び読取色変換テーブル補正部２０４によるテーブル補正処理のうち少なくとも一方の処理を経て得られた読取色変換テーブル６８が色変換部６４に適用される。
【０２４５】
［スキャナプロファイルの選択方法の例について］
読取色変換テーブル選択部２０２は、次の処理を行う。
【０２４６】
測色した位置に対応する測色対象読取画像信号値（ここではＲＧＢ値）からスキャナプロファイルの読取色変換テーブル（ＲＧＢ→Ｌａｂ変換テーブル）を参照して得られるＬａｂ値と、測色器３２で測色して得たＬａｂ値（測色値）の色差を算出し、平均色差又は最大色差、若しくはその両方を算出する。
【０２４７】
このような処理を、予め用意した読取色変換テーブルデータベース２００内のスキャナプロファイルのすべてに対して実施し、平均色差や最大色差が最も小さくなるスキャナプロファイルを、色変換部６４で使用するスキャナプロファイルとして選択する。
【０２４８】
こうして選択されたスキャナプロファイルの読取色変換テーブルをそのまま色変換部６４に適用してもいし、当該スキャナプロファイルの読取色変換テーブルを読取色変換テーブル補正部２０４にてさらに補正して、補正後の読取色変換テーブルを色変換部６４に適用してもよい。
【０２４９】
［スキャナプロファイルの補正方法の第１例について］
次に、読取色変換テーブル補正部２０４における補正方法の第１例について説明する。読取色変換テーブル補正部２０４は、色変換テーブル作成部６６に関する［実施例２］として説明した色変換テーブルの修正方法と、同様の方法で色変換テーブルを直接的に補正する構成とすることができる。
【０２５０】
既述の［実施例２］では、原稿画像信号と色度値の対応関係データを用いて、既存の色変換テーブルの格子点の色度値を修正することで所望の色変換テーブルを得るものであった。
【０２５１】
これに対し、読取色変換テーブル補正部２０４では、画像読取部３０から得られる読取画像信号と、測色値との対応関係データを用いて、既存のスキャナプロファイルの色変換テーブルにおける格子点の色度値を修正することで所望のスキャナプロファイルの色変換テーブルを得る。すなわち、測色値が存在する読取画像信号周囲の格子点について、つまり、印刷物上の平網部分で測色器３２による測色が可能であった読取画像信号周囲の格子点について、局所的に色度値を測定値に置換して、読取色変換テーブルを補正することができる。
【０２５２】
また、［実施例２］で説明した例と同様に、この補正後の色変換テーブルに対して、さらに、平滑化（スムージング）処理を実施することも好ましい。
【０２５３】
［スキャナプロファイルの補正方法の第２例について］
次に、読取色変換テーブル補正部２０４における補正方法の第２例について説明する。読取色変換テーブル補正部２０４は、読取画像信号と測色値との対応が特定されている局所的な読取画像信号と測色値の対応関係データから画像読取部３０の色再現モデルを推定し、既存のスキャナプロファイルの色変換テーブル全体へ補正を行う構成とすることができる。
【０２５４】
例えば、画像読取部３０に用いられるスキャナの色再現モデルとして、以下のような３×３マトリクスとＲＧＢのガンマ（γ）値を想定する。３×３マトリクスは、ＲＧＢ原色のＸＹＺ値を成分とするマトリクスである。γ値はＲＧＢ単色階調の非線形性を表す。
【０２５５】
【数４】
0006298387.tif 000007
【０２５６】
Ｒ，Ｇ，Ｂは、画像読取部３０のデバイス信号値（読取画像信号値）であり、画像読取部３０から得られる信号値を「０−１」に規格化した値である。
【０２５７】
Ｘ，Ｙ，Ｚは、読取画像信号値に対応する測色値となる。色再現モデルのパラメータはＲ原色のＸＹＺ値（Ｘｒ，Ｙｒ，Ｚｒ）、Ｇ原色のＸＹＺ値(Ｘｇ，Ｙｇ，Ｚｇ)、Ｂ原色のＸＹＺ値（Ｘｂ，Ｙｂ，Ｚｂ）、ＲＧＢのγ値（γｒ，γｇ，γｂ）の合計１２個となる。
【０２５８】
測定点１つにつき読取画像信号値（Ｒ，Ｇ，Ｂ）に対する測色値Ｘ，Ｙ，Ｚの正解値が得られるので方程式が３つ得られる。よって、現在の印刷物に対応した画像読取部３０の色再現モデルを求めるには、印刷物上の測定点を４つ以上用意すればよい。測定点を４つ以上用意することにより、方程式が１２個以上となり、これら方程式を連立して解くことで１２個の未知パラメータを求めることができる。なお、測定点が５点以上であれば最適化して解くことになる。
【０２５９】
既存の色変換テーブルも上記の色再現モデルに当てはめることができる。
【０２６０】
つまりＲ，Ｇ，Ｂの原色のＸＹＺ値及びＲＧＢ階調のγ値を色変換テーブルから取得すればよい。
【０２６１】
このようにして現在の印刷物に対応したスキャナの色再現モデルと既存の色変換テーブルに対応したスキャナの色再現モデルが得られる。
【０２６２】
色再現モデルが得られたら、既存の色変換テーブルの各格子点（Ｒ，Ｇ，Ｂ）に対して以下のような補正をする。
補正後色変換テーブル格子点ＸＹＺ値＝既存色変換テーブル格子点ＸＹＺ値＋（現在の印刷物に対するスキャナ色再現モデルのＸＹＺ値 −既存色変換テーブルからのスキャナ色再現モデルのＸＹＺ値）
【０２６３】
なお、推定した現在の印刷物に対応したモデルを利用して色変換テーブルを新たに作成してもよい。ただし、印刷物上の測色点数は少ないことが想定されるため、少ない情報に基づいて１から色変換テーブルを作成するよりは、既存の色変換テーブルの大局的な色再現特性をベースに色材や基材の違いによる微小なズレ分をモデルで推定して修正する方が精度が良いことが期待できる。
【０２６４】
［測色値利用方法の第３例］
測色器３２から得られる測色値の利用方法の第３例として、色変換テーブル作成部６６で生成した色変換テーブルに対して、測色値を直接反映させて修正する方法を説明する。
【０２６５】
図１６は測色値利用方法の第３例に係る構成を示したブロック図である。図１６中、図２及び図１４で説明した構成と同一又は類似する要素には同一の符号を付し、その説明は省略する。図１６に示す構成は、図１４で説明した構成における色度値置換部１９４に代えて、色変換テーブル修正部２１４を備えている。
【０２６６】
図１６に示す構成例の場合、色変換テーブル作成部６６は、画像対応付け部６３及び色変換部６４による処理が行われて生成された「原稿画像信号と色度値の対応関係データ」を基に、一旦、暫定的な色変換テーブルを作成する。色変換テーブル修正部２１４は、色変換テーブル作成部６６によって作成された暫定的な色変換テーブルと、測色器３２から取得される測色値（ここではＬａｂ値）と、測色位置対応付け部１９２から得られる測色対象原稿画像信号値（ＣＭＹＫ値）とを基に、暫定的な色変換テーブルにおける色度値を、測色器３２で取得した測色値に置き換える修正処理を行う。色変換テーブル修正部２１４による修正処理を経て、最終的な色変換テーブル７０が生成される。
【０２６７】
図１６に示す構成例によれば、色変換テーブル作成部６６によって暫定的に作成された色変換テーブルであるプロファイルを測色器３２の測色値で直接修正するため、測色器３２による測色値が色変換テーブルに対して高精度に反映される。
【０２６８】
＜他の変形例＞
図１３から図１６で説明した構成は、図７から図１０で説明した構成に適宜組み合わせることができる。
【０２６９】
＜コンピュータを色変換テーブル作成装置として機能させるプログラムについて＞
上述の実施形態で説明した色変換テーブル作成装置として、コンピュータを機能させるためのプログラムをＣＤ−ＲＯＭや磁気ディスクその他のコンピュータ可読媒体（有体物たる非一時的な情報記憶媒体）に記録し、該情報記憶媒体を通じて当該プログラムを提供することが可能である。このような情報記憶媒体にプログラムを記憶させて提供する態様に代えて、インターネットなどの通信ネットワークを利用してプログラム信号をダウンロードサービスとして提供することも可能である。
【０２７０】
また、このプログラムをコンピュータに組み込むことにより、コンピュータに色変換テーブル作成装置の各機能を実現させることができ、上述の実施形態で説明した色変換テーブルの作成機能や色変換機能を実現することができる。
【０２７１】
＜実施形態の利点＞
（１）特許文献１の技術では、読取画像の色味は再現されるが、読取画像そのものを再出力するため、原稿画像がもつ高精細感は失われる。これに対し、本発明の実施形態によれば、原稿画像と目標印刷物の読取画像を位置合わせ後に、原稿画像信号値と読取画像信号値を対応付けて、ターゲットプロファイル９２の色変換テーブル７０を作成している。そして、ターゲットプロファイル９２とプリンタプロファイル９４でカラーマッチングさせて原稿画像データ４０を印刷出力するため、高精細感があり、かつ、目標印刷物と色味が合致した印刷物を得ることができる。
【０２７２】
（２）特許文献２の技術では、色見本となる印刷物と、出力側の印刷物の両方の印刷物について読み取りが必要であるが、本発明の実施形態によれば、原稿画像データを色見本としての目標印刷物の読取画像に基づいて、ターゲットプロファイルの色変換テーブル７０を作成する。本発明の実施形態によれば、ターゲットプロファイルを作成するに際し、印刷装置１８による印刷の実施や、その印刷物の読み取りを行う必要がなく、印刷の手間や読み取り作業の手間がかからない。
【０２７３】
（３）本発明の実施形態によれば、画像データと対応する色度値の多次元の対応関係を表す色変換テーブル７０を作成して、目標印刷物４２と印刷装置１８による印刷物との色を合わせるため、より高精度な色合わせが可能となる。
【０２７４】
（４）本発明の実施形態によれば、原稿画像データ４０と目標印刷物４２とが一対一対応しない場合でも、目標印刷物４２の読取画像から原稿画像対応部分を抜き出して、画像の対応付けをすることができる。これにより、原稿画像データ４０と目標印刷物４２が一対一対応しない場合でも色合わせを実施可能となる。
【０２７５】
（５）本発明の実施形態によれば、測色器３２を備え、測色器３２による測色値を利用して画像読取部３０からの色情報を修正する構成を採用したことにより、画像読取部３０による測色の誤差を低減し、色合わせの精度をより一層向上させることができる。
【０２７６】
（６）本発明の実施形態によれば、目標印刷物４２を画像読取部３０で読み取る際の読取解像度と、印刷線数の干渉によるモアレ（偽構造や偽色）の発生を抑えて、実用的な計算コストで信頼性のある読取画像データを得ることができ、この読取画像データを用いて画像の位置合わせと色抽出を行うことができる。したがって、信頼性の高い画像と色を使用して高精度の色再現が可能な色変換テーブルを作成することができる。
【０２７７】
（７）図７から図１０で説明した形態によれば、特に、第三の低解像度画像生成部１２１及び第四の低解像度画像生成部１２２による低解像度化処理によって、平均的な色を抽出できるため、プロファイル修正のためのサンプリング点が増え、プロファイル修正のロバスト性が上がる。
【０２７８】
（８）本実施形態によれば、色再現目標が現物の印刷物（目標印刷物）で指定されている場合でも、適切な色変換テーブルを作成することができ、ＩＣＣプロファイルを利用したカラーマネージメントが可能となる。また、目標印刷物に対する色合わせ工程を効率化できる。
【０２７９】
以上説明した本発明の実施形態は、本発明の趣旨を逸脱しない範囲で、適宜構成要件を変更、追加、削除することが可能である。本発明は以上説明した実施形態に限定されるものでは無く、本発明の技術的思想内で当該分野の通常の知識を有するものにより、多くの変形が可能である。
【符号の説明】
【０２８０】
１０…印刷システム、１２…画像編集装置、１８…印刷装置、２０…画像データ入力部、２４…画像処理部、２６…制御部、３０…画像読取部、３２…測色器、３４…表示部、３６…入力装置、４０…原稿画像データ、４２…目標印刷物、６０…色変換テーブル作成装置、６１…第一の低解像度画像生成部、６２…第二の低解像度画像生成部、６３…画像対応付け部、６４…色変換部、６６…色変換テーブル作成部、６８…読取色変換テーブル、７０…色変換テーブル、８０…第二の色変換部、９２…ターゲットプロファイル、９４…プリンタプロファイル、１００…色変換テーブル作成装置、１０２…画像位置合わせ部、１０３…第一の色抽出部、１２１…第三の低解像度画像生成部、１２２…第四の低解像度画像生成部、１２３…第二の色抽出部、１３０…色変換テーブル作成装置
【図１】
0006298387.tif 000008
【図２】
0006298387.tif 000009
【図３】
0006298387.tif 000010
【図４】
0006298387.tif 000011
【図５】
0006298387.tif 000012
【図６】
0006298387.tif 000013
【図７】
0006298387.tif 000014
【図８】
0006298387.tif 000015
【図９】
0006298387.tif 000016
【図１０】
0006298387.tif 000017
【図１１】
0006298387.tif 000018
【図１２】
0006298387.tif 000019
【図１３】
0006298387.tif 000020
【図１４】
0006298387.tif 000021
【図１５】
0006298387.tif 000022
【図１６】
0006298387.tif 000023